(57)【要約】移動通信システムにおいて、ハンドオーバまたはセル再選択などのモビリティ手順を容易にするために、移動先セル特有のシステム情報について移動端末に通知するための方法。さらに、無線リソース制御装置、移動端末、及び無線リソース制御装置と移動端末を含んでなるシステムが提供される。本発明は、上記手順に伴う中断時間を減少させるように、現行のモビリティ手順の改良を提案する。さらに詳しく言えば、システム・アクセス及び／またはモビリティ手順の実行に関連する移動先セル内のシステム情報を移動端末に指し示す、移動先セル特有のシステム情報への少なくとも一つのポインタを、ハンドオーバ指示または接続解放メッセージなどの制御メッセージに含めることが提案される。さらに、移動先セル特有のシステム情報の一部分を制御メッセージ中に含めることもできる。
2010506445.tif 000002
【特許請求の範囲】
【請求項１】
移動通信システム内において、移動先セル特有のシステム情報について移動端末に通知するための方法であり、前記方法は、
元のセルの無線リソース制御エンティティから送信された制御メッセージによって、元のセルから移動先セルへ接続性またはアタッチメント・ポイントを変更するように前記移動端末に指示を与えるステップを有し、
前記制御メッセージは、移動先セル特有のシステム情報への少なくとも一つのポインタを含んでなる、方法。
【請求項２】
前記移動先セル特有のシステム情報は、前記移動先セルの無線インタフェース上で接続性を確立することに関連する情報またはアタッチメント・ポイントを前記移動先セルへ変更することに関連する情報を含んでなる、請求項１に記載の方法。
【請求項３】
前記制御情報に含まれた前記少なくとも一つのポインタを使用して、移動先セルにおける前記移動先セル特有のシステム情報を前記移動端末が受信するステップをさらに有する請求項１または請求項２に記載の方法。
【請求項４】
前記移動先セルにおける前記移動先セル特有のシステム情報は、固定速度のトランスポート・チャネルまたは可変速度のトランスポート・チャネルにマッピングされる、請求項１から請求項３のうちのいずれかに記載の方法。
【請求項５】
ポインタは、前記移動先セル内の前記固定速度のトランスポート・チャネル及び／または前記可変速度のトランスポート・チャネルへの前記移動先セル特有のシステム情報のマッピングを指示する、請求項４に記載の方法。
【請求項６】
ポインタは、前記移動先セル特有のシステム情報の少なくとも一部分についての送信フォーマットとタイミングを含んでなるスケジューリング情報がそこから有効になる先頭のシステム・フレーム番号を含んでなる、請求項１から請求項５のうちのいずれかに記載の方法。
【請求項７】
無線リソース制御プロトコルによる制御メッセージの再送信時には、更新されたシステム・フレーム番号または前記移動先セル特有のシステム情報の少なくとも一部分についての送信フォーマットとタイミングを含んでなる更新されたスケジューリング情報を指示する、媒体アクセス制御プロトコル特有のプロトコル・データ・ユニットが前記移動端末へ送信される、請求項６に記載の方法。
【請求項８】
制御メッセージは、前記移動先セル特有のシステム情報が移動先セル内で再送信される間隔を指定する再送信周期または更新されたシステム・フレーム番号を指示する、請求項５に記載の方法。
【請求項９】
前記移動端末は、前記システム・フレーム番号と前記再送信周期に基づいて、更新されたシステム・フレーム番号を決定する、請求項８に記載の方法。
【請求項１０】
前記固定速度のトランスポート・チャネルは、固定のトランスポート・フォーマットを有するブロードキャスト・トランスポート・チャネルであり、前記可変速度のトランスポート・チャネルは、可変のトランスポート・フォーマットを有する共有トランスポート・チャネルまたはブロードキャスト・トランスポート・チャネルである、請求項４から請求項９のうちのいずれかに記載の方法。
【請求項１１】
前記移動先セル特有のシステム情報は、少なくとも一つのシステム情報ブロックの形態で送信される、請求項１から請求項１０のうちのいずれか一つに記載の方法。
【請求項１２】
前記ポインタは、各システム情報ブロックが、移動先セル内の固定速度のトランスポート・チャネル及び／または可変速度のトランスポート・チャネルのいずれにマッピングされているかを指示する、請求項１１に記載の方法。
【請求項１３】
システム情報ブロックが前記可変速度のトランスポート・チャネルにマッピングされている場合は、前記ポインタは、前記可変速度のトランスポート・チャネル上の各システム情報ブロックの送信フォーマットとタイミングを指示する、請求項１２に記載の方法。
【請求項１４】
システム情報ブロックが前記固定速度のトランスポート・チャネルにマッピングされている場合は、前記ポインタは、移動先セル内の前記固定速度のトランスポート・チャネル上の各システム情報ブロックの位置を指定し、各システム情報ブロックが再送信される繰返しサイクルを必要に応じて選択的に指定する、請求項１０から請求項１３に記載の方法。
【請求項１５】
前記可変速度のトランスポート・チャネルに付随した制御チャネル上で制御情報を送信するステップをさらに有し、前記制御情報は前記可変速度のトランスポート・チャネル上で送信される各システム情報ブロックの送信フォーマットとタイミングを指示する、請求項５から請求項１４のうちのいずれかに記載の方法。
【請求項１６】
前記制御情報は、論理チャネルからトランスポート・チャネルへのマッピングの識別をさらに含んでなる、請求項１５に記載の方法。
【請求項１７】
前記移動先セル特有のシステム情報への前記ポインタは、前記移動先セル特有のシステム情報の少なくとも一部分がそこにマッピングされている、少なくとも一つの可変速度のトランスポート・チャネルの設定に関する情報を含んでなる、請求項１から請求項１６のうちのいずれかに記載の方法。
【請求項１８】
前記制御メッセージは、前記移動先セル特有のシステム情報の一部分を含んでなる、請求項１から請求項１７のうちのいずれかに記載の方法。
【請求項１９】
前記移動先セル特有のシステム情報の少なくとも一部分は、移動通信システムの無線インタフェースの少なくとも２個の異なるリソース・ブロックで同時に送信される、請求項１から請求項１８のうちのいずれかに記載の方法。
【請求項２０】
前記一部分は、少なくとも一つのシステム情報ブロックの情報に相当する、請求項１８または請求項１９に記載の方法。
【請求項２１】
前記制御メッセージは、可能性のある複数の隣接セルのうちの一つにアタッチするように移動端末に指示を与える、請求項１から請求項２０のうちのいずれかに記載の方法。
【請求項２２】
隣接するセルを制御する無線リソース制御エンティティから隣接するセル特有のシステム情報への少なくとも一つのポインタを、前記元のセルを制御する無線リソース制御エンティティが受信するステップをさらに有する、請求項１から請求項２１のうちのいずれかに記載の方法。
【請求項２３】
前記少なくとも一つのポインタは、フレーム・プロトコルまたはアプリケーション・プロトコル・メッセージを介して、前記移動先セルの無線リソース制御プロトコルから前記元のセルの無線リソース制御エンティティによって受信される、請求項２２に記載の方法。
【請求項２４】
前記隣接するセルが前記移動端末のハンドオーバの前記移動先セルである場合、または前記隣接するセルがセル選択またはセル再選択を実行時に前記移動端末がそこへアタッチする可能性のあるセルのうちの一つである場合、前記隣接する無線リソース制御エンティティから受信した前記ポインタを前記制御メッセージに含めるステップをさらに有する、請求項２２または請求項２３に記載の方法。
【請求項２５】
元のセルから移動先セルへの移動端末の接続性またはアタッチメントの変更は、ハンドオーバ手順、セル選択手順またはセル再選択手順の一部である、請求項１から請求項２４のうちのいずれかに記載の方法。
【請求項２６】
前記移動先セルにおいて動的に変化するシステム情報にかかわる前記移動先セル特有のシステム情報は、前記制御メッセージ中の前記ポインタによって指し示され、一方、動的に変化しないシステム情報にかかわる移動先セル特有のシステム情報は、前記制御メッセージ内に含まれる、請求項１から請求項２５のうちのいずれかに記載の方法。
【請求項２７】
前記移動先セルの重要なシステム情報にかかわる移動先セル特有のシステム情報は、前記制御メッセージ中の前記ポインタによって指し示され、一方、重要ではないシステム情報にかかわる移動先セル特有のシステム情報は、前記制御メッセージに含まれた前記ポインタによって指し示されることもなく、前記制御メッセージ内に含まれることもない、請求項１から請求項２５のうちのいずれかに記載の方法。
【請求項２８】
重要なシステム情報は、モビリティ手順を実行するために必要な情報である、請求項２７に記載の方法。
【請求項２９】
ハード・ハンドオーバ手順を実行するために前記移動端末が取得しなければならない重要なシステム情報は、前記移動先セルにおける共通物理チャネルの設定に関する情報及び／または前記移動先セルにおける共有物理チャネルの設定に関する情報である、請求項２７または請求項２８に記載の方法。
【請求項３０】
セル選択またはセル再選択手順を実行するために前記移動端末が取得しなければならない重要なシステム情報は、移動先セルについてのセル選択パラメータに関する情報及び／または前記移動先セルにおける前記アップリンク干渉に関する情報である、請求項２７または請求項２８に記載の方法。
【請求項３１】
前記移動先セル特有のシステム情報は、前記移動先セル内で周期的に送信される、請求項１から請求項３０のうちのいずれかに記載の方法。
【請求項３２】
前記制御メッセージは、無線リソース制御プロトコル・メッセージである、請求項１から請求項３１のうちのいずれかに記載の方法。
【請求項３３】
前記移動先セル特有のシステム情報は、前記移動先セルのブロードキャスト制御論理チャネル上で送信されるシステム情報である、請求項１から請求項３２のうちのいずれかに記載の方法。
【請求項３４】
移動通信システム内において、当該無線リソース制御装置によってサーブされた移動端末に、移動先セル特有のシステム情報について通知するための無線リソース制御装置であり、
前記移動端末に制御メッセージを送信することによって、当該無線リソース制御装置によってサーブされた元のセルから移動先セルへ接続性またはアタッチメント・ポイントを変更するように前記移動端末に指示を与えるための通信ユニットを具備し、
前記制御メッセージは、移動先セル内の移動先セル特有のシステム情報への少なくとも一つのポインタを含んでなる、無線リソース制御装置。
【請求項３５】
前記通信ユニットは、少なくとも一つの隣接するセルから、隣接するセル特有のシステム情報への各ポインタを受信するように動作できる、請求項３４に記載の無線リソース制御装置。
【請求項３６】
隣接するセルから受信した少なくとも一つのポインタは、前記制御メッセージに含まれる、請求項３５に記載の無線リソース制御装。
【請求項３７】
前記制御メッセージは、前記移動端末に送信される個別のメッセージである、請求項３４から請求項３６のうちのいずれかに記載の無線リソース制御装置。
【請求項３８】
前記通信ユニットは、当該無線リソース制御装置によって制御されたセルに特有のシステム情報に関するポインタを少なくとも一つの隣接する無線リソース制御装置へ送信するように適合される、請求項３４から請求項３７のうちのいずれかに記載の無線リソース制御装置。
【請求項３９】
当該無線リソース制御装置によって制御されたセルに特有のシステム情報に関する前記ポインタは、少なくとも一つのアプリケーション・プロトコルまたはフレーム・プロトコル・メッセージ中で送信される、請求項３８に記載の無線リソース制御装置。
【請求項４０】
請求項１から請求項３３のうちのいずれか一つに記載された前記方法を実行するように適合された手段をさら具備する、請求項３４から請求項３９のうちのいずれか一つに記載の無線リソース制御装置。
【請求項４１】
移動通信システムにおいて使用される移動端末であり、
元のセルから移動先セルへ接続性またはアタッチメント・ポイントを変更するように当該移動端末に指示する制御メッセージを受信するための通信ユニットを具備し、前記制御メッセージは前記元のセルの無線リソース制御装置から受信され、前記制御メッセージは移動先セル特有のシステム情報への少なくとも一つのポインタを含んでなり、
前記移動端末は、前記制御メッセージに含まれた前記移動先セル特有のシステム情報への前記ポインタを使用して、前記移動先セルへアタッチまたは接続するように構成される、移動端末。
【請求項４２】
請求項１から請求項３３のうちのいずれか一つに記載された前記方法を実行するように適合された手段をさら具備する、請求項４１に記載の移動端末。
【請求項４３】
請求項３４から請求項４０のうちのいずれか一つに記載した無線リソース制御装置と請求項４１及び請求項４２に記載した移動端末を含んでなる通信システム。
【請求項４４】
無線リソース制御装置のプロセッサにより実行時に、移動通信システム内において、当該無線リソース制御装置によってサーブされた移動端末に、移動先セル特有のシステム情報について通知するように前記無線リソース制御装置を動作させる命令を記憶するコンピュータにより読取り可能な媒体であり、
移動先セル特有のシステム情報についての通知は、制御メッセージを前記移動端末に送信することによって、当該無線リソース制御装置によってサーブされた元のセルから移動先セルへ接続性またはアタッチメント・ポイントを変更するように前記移動端末に指示を与えることによって行なわれ、
前記制御メッセージは、前記移動先セル内の移動先セル特有のシステム情報への少なくとも一つのポインタを含んでなる、コンピュータにより読取り可能な媒体。
【請求項４５】
前記無線リソース制御装置のプロセッサにより実行時に、請求項１から請求項３３のうちのいずれか一つに記載された前記方法の各ステップを実行するように、前記無線リソース制御装置を動作させる命令をさらに記憶する、請求項４４に記載のコンピュータにより読取り可能な媒体。
【請求項４６】
移動通信システム中の移動端末のプロセッサにより実行時に、
元のセルから移動先セルへ接続性またはアタッチメント・ポイントを変更するように前記移動端末に指示する制御メッセージを受信し、前記制御メッセージは元のセルの前記無線リソース制御装置から受信され、前記制御メッセージは移動先セル特有のシステム情報への少なくとも一つのポインタを含んでなり、
前記制御メッセージに含まれた前記移動先セル特有のシステム情報への前記ポインタを使用して、前記移動先セルへアタッチまたは接続するようにする、
命令を記憶するコンピュータにより読取り可能な媒体。
【請求項４７】
前記移動端末のプロセッサにより実行時に、請求項１から請求項３３のうちのいずれか一つに記載された前記方法の各ステップを実行するように、前記移動端末を動作させる命令をさらに記憶する、請求項４６に記載のコンピュータにより読取り可能な媒体。
【発明の詳細な説明】
【技術分野】
【０００１】
本発明は、移動通信システムにおいて、ハンドオーバまたはセル再選択などのモビリティ手順を容易にするために、移動先セル特有のシステム情報について移動端末に通知するための方法に関係する。さらに、無線リソース制御装置、移動端末、及び無線リソース制御装置と移動端末を含んでなるシステムが提供される。
【背景技術】
【０００２】
Ｗ−ＣＤＭＡ（Wideband Code Division Multiple Access;広帯域符号分割多元接続）は、第三世代無線移動通信システムとしての利用に向けて標準化されたＩＭＴ−２０００システム（International Mobile Telecommunicationシステム）のための無線インタフェースである。Ｗ−ＣＤＭＡは、音声サービスやマルチメディア移動通信サービスなど多様なサービスを柔軟で効率的な方法で提供する。日本、欧州、米国、その他の国々の標準化機関は、Ｗ−ＣＤＭＡについての共通無線インタフェース仕様を作成するために、合同で３ＧＰＰ（the 3rd Generation Partnership Project：第３世代移動体通信システムの標準化プロジェクト)というプロジェクトを組織した。
【０００３】
ＩＭＴ−２０００の標準化された欧州バージョンは、一般に、ＵＭＴＳ（Universal Mobile Telecommunication System）と呼ばれる。ＵＭＴＳの仕様の最初のリリースは、１９９９年に公表された（リリース９９）。その後、リリース４、リリース５、リリース６において標準の改良が幾度か３ＧＰＰにより標準化された。
【０００４】
近年、３ＧＰＰは、３Ｇの長期の競争力を確実にするために、３Ｇ標準の次の主要な段階または進展を検討し始めた。３ＧＰＰは、最近、「進化ＵＴＲＡ及びＵＴＲＡＮ」―「Long Term Evolution （ＬＴＥ）；長期的発展」としてもっとよく知られている―という研究項目に着手した。この研究は、サービス提供を向上させ、ユーザと通信事業者のコストを減少させるために、性能の大きな飛躍を達成する手段を探ろうとするものである。モビリティ制御にインターネット・プロトコル（ＩＰ）を使用するという方向に意見が収束し、すべての将来のサービスはＩＰベースになるであろうと一般に想定される。したがって、上記発展の焦点は、パケット交換（ＰＳ）分野の強化にある。
【０００５】
上記発展の主な目的は、すでに言及したとおり、サービス提供をさらに向上させ、ユーザと通信事業者のコストを減少させることである。さらに詳しく、長期的発展（ＬＴＥ）のための重要な性能、能力及び配備の要件をいくつか挙げると、とりわけ次のものがある。
・  ＨＳＤＰＡ及びＨＳＵＰＡと比較して大幅に高速化したデータ伝送速度（ダウンリンク上で100Mbps以上、アップリンク上で50Mbps以上の目標最高データ伝送速度が想定されている）
・  広域のカバレッジでの高いデータ伝送速度
・  より上位層のプロトコル（例えば、ＴＣＰ）の性能を向上させるためのユーザ・プレーンにおけるレイテンシーの大幅な減少、並びに制御プレーンの手順（例えば、セッション設定）に伴う遅延を減少させること
・  1.25 MHzから 20 MHzまでの範囲の様々なサイズのスペクトル割当て内での独立したシステム動作
他にもう一つ、長期的発展のための配備に関係した要件は、これらの技術へのスムーズな移行を可能にすることである。
【０００６】
現在とＬＴＥのＵＴＲＡＮアーキテクチャ
Universal Mobile Telecommunication System（ＵＭＴＳ）のハイレベル・リリース９９／４／５／６のアーキテクチャを図１に示す（http://www.3gpp.orgから得られる非特許文献１―参照により本文書に援用される―を参照）。ＵＭＴＳシステムは、各々が定義された機能を有する、多数のネットワーク要素により構成される。各ネットワーク要素はそれぞれ各自の機能によって定義されるが、各ネットワーク要素の同様な物理的実現は、必ずしもそうしなくてもよいが、一般的である。
【０００７】
ネットワーク要素は、機能的に、コア・ネットワーク（ＣＮ）１０１、ＵＭＴＳ地上無線アクセス・ネットワーク（ＵＴＲＡＮ）１０２及びユーザ装置（ＵＥ）１０３にグループ分けされる。ＵＴＲＡＮ １０２は無線通信に関係したすべての機能を処理することを担い、ＣＮ １０１は呼及びデータ接続の外部ネットワークへのルーティングを担当する。ＣＮ／ＵＴＲＡＮとＵＴＲＡＮ／ＵＥの相互接続は、オープン・インタフェース（それぞれ、ｌｕ、Ｕｕ）により形成される。ＵＭＴＳシステムはモジュール形式であり、したがって同一タイプのネットワーク要素をいくつももつことが可能であることに留意すべきである。
【０００８】
つまりここでは、２つの異なるアーキテクチャを論述するが、これらは、各ネットワーク要素に対する論理的な機能の分配に関して定義される。実際のネットワーク配備においては、各アーキテクチャは多様な物理的実現をとり得る、つまり２個以上のネットワーク要素を単一の物理的ノードに統合することもできることを意味する。
【０００９】
図２は、３ＧＰＰ ＬＴＥ移動通信ネットワークの典型的な概観を示す。ネットワークは、機能的にコア・ネットワーク（ＣＮ）、無線アクセス・ネットワーク（ＲＡＮ）及びユーザ装置（ＵＥ）にグループ分けされる様々なネットワーク・エンティティからなる。ＲＡＮは、特に無線リソースのスケジューリングを含む無線通信に関係したすべての機能を処理することを担う。ＣＮは、呼及びデータ接続の外部ネットワークへのルーティングを担当する。
【００１０】
ＬＴＥネットワークは、アクセス・ゲートウェイ（ａＧＷ）とノードＢ（拡張型ノードＢ、eNode B、ｅＮＢとも言い表わす）からなる「２ノード・アーキテクチャ」である。ａＧＷは、ＣＮ機能、すなわち、呼及びデータ接続の外部ネットワークへのルーティングを処理するとともに、ＲＡＮ機能も実行する。したがって、ａＧＷは、今日の３ＧネットワークではＳＧＳＮ及びＲＮＣによって実行される機能の一部と、例えば、 ヘッダ圧縮、暗号化／インテグリティ保護といったＲＡＮ機能を統合するものと考えることができる。ノードＢは、例えば、無線リソース制御（ＲＲＣ）、分割／連結、リソースのスケジューリングと割当て、多重化及び物理層機能といった機能を処理できる。
【００１１】
移動通信ネットワークは、通常、モジュール形式であり、したがって同一タイプのネットワーク要素をいくつももつことが可能である。ネットワーク要素の相互接続は、オープン・インタフェースによって形成される。ＵＥは、Ｕｕインタフェースと表記された無線インタフェースを介してノードＢへ接続可能である。ノードＢは、いわゆるＳ１インタフェースを介してａＧＷへの接続をもつことができる。ノードＢどうしは、いわゆるＸ２インタフェースを介して相互接続される。
【００１２】
３ＧＰＰと非３ＧＰＰの両者が一体化したものは、外部パケット・データ・ネットワーク（例えば、インターネット）へのａＧＷのインタフェースを介して処理され得る。
【００１３】
すでに前述したように、図２の典型的なネットワーク・アーキテクチャでは、セル・リソースの所有は各ノードＢにおいて処理されると仮定される。セル・リソースの所有をａＧＷの外側にしたことは、ａＧＷのプーリング（ＣＰ／ＵＰの両方のフローの）をサポートすることを可能にし、一つのノードＢを異なる端末用の複数のａＧＷに接続できるようにする（その結果、単一ポイントの障害を回避する）。
【００１４】
ＵＴＲＡ無線インタフェース・プロトコル・アーキテクチャ
ＵＴＲＡＮの無線インタフェース・プロトコル・アーキテクチャの概観を図３に示す。一般に、ＵＴＲＡＮの無線インタフェース・プロトコル・アーキテクチャは、ＯＳＩプロトコル・スタックの第１層〜第３層を実装する。ＵＴＲＡＮで終端されるプロトコルは、アクセス層プロトコルとも言われる。アクセス層と対比して、ＵＴＲＡＮで終端されないすべてのプロトコルは、通常、非アクセス層プロトコルとも言われる。
【００１５】
各プロトコルをユーザ・プレーンと制御プレーンに分ける縦の分割が、図３では明示されている。無線リソース制御（ＲＲＣ）プロトコルは、ＵＴＲＡ無線インタフェース（Ｕｕ）のより下位層のプロトコルを制御する制御プレーンの第３層のプロトコルである。
【００１６】
ＲＲＣ制御は、現在は、通常ＵＴＲＡＮのＲＮＣで終端されるが、現在検討されているＬＴＥアーキテクチャに関して検討された、例えば、ノードＢなどのその他のネットワーク要素もＵＴＲＡＮ中のＲＲＣプロトコルを終端させるものとして考慮されている。ＬＴＥ向けのＲＲＣプロトコル（いわゆるＥ−ＲＲＣプロトコル）は、ノードＢで終端される。ＲＲＣプロトコルは、各ＵＥへ至る無線インタフェースの無線リソースへのアクセスを制御するための制御情報のシグナリングのために使用される。さらに、ＲＲＣプロトコルが、非アクセス層内での制御に通例は関係付けられる非アクセス層メッセージをカプセル化して伝送する可能性もある。
【００１７】
制御プレーンにおいて、ＲＲＣプロトコルは、サービス・アクセス・ポイント（ＳＡＰ）を通じたシグナリング用ＳＡＥ無線ベアラを介して、第２層、すなわち無線リンク制御（ＲＬＣ）プロトコルへ制御情報を中継する。ユーザ・プレーンでは、非アクセス層プロトコル・エンティティは、ＳＡＰを介して第２層へ直接アクセスするためにＳＡＥ無線ベアラを使用できる。アクセスは、ＲＬＣへ直接なされてもよいし、または順次にそのＰＤＵをＲＬＣプロトコル・エンティティへ供給するパケット・データ・コンバージェンス・プロトコルへなされてもよい。
【００１８】
ＲＬＣは、そのＳＡＰを通じて、より上位の層にサービスを提供する。ＲＲＣ設定は、ＲＬＣがどのようにパケットを処理するか、例えば、ＲＬＣがトランスペアレント・モード、応答モードまたは非応答モードで動作するかを定義する。制御プレーン内とユーザ・プレーン内のより上位の層に、ＲＲＣまたはＲＤＣＰによって提供されるサービスは、それぞれ、シグナリング用ＳＡＥ無線ベアラとＳＡＥ無線ベアラとも言われる。
【００１９】
ＭＡＣ／ＲＬＣ層は、次に、そのサービスを、いわゆる論理チャネルを用いてＲＬＣ層に提供する。論理チャネルは、基本的に、どの種類のデータが伝送されるかを定義する。物理層は、そのサービスを、いわゆるトランスポート・チャネルとしてＭＡＣ／ＲＬＣ層へ提供する。トランスポート・チャネルは、 ＭＡＣ層から受信したデータを物理チャネルを介してどのように、どんな特性を付けて送信するかを定義する。
【００２０】
（ブロードキャスト）システム情報の構成
３ＧＰＰ用語では、（ブロードキャスト）システム情報は、ＢＣＣＨ情報とも名付けられている。すなわち、ＵＥがそこに接続されている（アクティブ状態）またはそこにアタッチされている（アイドル状態）無線セルのブロードキャスト制御チャネル（論理チャネルである）上で伝送される情報をさす。ＢＣＣＨ上の情報の構成を図４に示す。一般に、システム情報はマスター情報ブロック（ＭＩＢ）と数個のシステム情報ブロック（ＳＩＢ）を含む。ＭＩＢは、各システム情報ブロックについての制御情報を含む。各ＳＩＢに関連付けられた制御情報は、次の構成をとることができる。ＳＩＢに関連付けられた各制御情報は、それが共通タイミング基準に相対して送信されるトランスポート・チャネル上のＳＩＢの位置（例えば、ＯＦＤＭ無線アクセス用の時間−周波数プレーン内の位置、すなわち、各ＳＩＢの送信に割り当てられる特定のリソース・ブロック内の位置）を指示できる。さらに、ＳＩＢの繰返し周期も指示される。この繰返し周期は、各ＳＩＢが送信される周期を示す。上記制御情報はまた、タイマーに基づいた更新メカニズムのためのタイマー値、または代替的に、ＳＩＢ情報のタグに基づいた更新のための値タグを含むことができる。
【００２１】
下表は、http://www.3gpp.orgにて得られる非特許文献２―参照により本文書に援用される―に定義された、ＵＭＴＳレガシー・システムにおけるシステム情報ブロックの類別及びタイプの概要を示す。システム・ブロードキャスト情報の各ＳＩＢへの分類は、その内容と表１の右側の欄に示される経時可変性に基づく。
【００２２】
【表１】
2010506445.tif 000003
【００２３】
長期的発展（ＬＴＥ）の要件
非特許文献３（http://www.3gpp.orgで得られ、参照により本文書に援用される）によると、進化ＵＭＴＳ地上無線アクセス（Ｅ−ＵＴＲＡ）は、アップリンクとダウンリンク両方で、1.25 MHz、2.5 MHz、5 MHz、10 MHz、15 MHz及び20 MHzを含む様々なサイズのスペクトル割当て内で動作するものとする。加えて、Ｅ−ＵＴＲＡは独立して動作可能であるものとする、すなわち、他システムからのシグナリング・サポートに利用可能なその他のキャリアを必要としない。
【００２４】
非特許文献３はまた、制御プレーンのレイテンシーを大幅に減少させることを主にめざし、これは前述した主要目的の一つである。これは、ＵＥの異なる動作状態間の遷移時間、すなわち、キャンプされた状態（例えば、ＵＭＴＳリリース６のアイドル・モードまたはＬＴＥ＿アイドル状態またはモード）からアクティブ状態（例えば、ＵＭＴＳリリース６のセル＿ＤＣＨ状態またはＬＴＥ＿アクティブ状態またはモード）へ当該ＵＥ用のユーザ・プレーンが確立されるようになるまでの時間（ダウンリンク・ページング遅延と非アクセス層シグナリング遅延を除く）が100 ms未満とすることを意味する。一般に、ＵＥがセル選択／再選択処理を終了し、セルを選択してからＬＴＥアイドル・モードになっている場合、ＵＥはセル上にキャンプされていると言われる。このキャンプされた状態のとき、ＵＥはシステム情報を送信するように構成されたトランスポート・チャネルを、（多くの場合）ページング情報チャネルをモニターする。ＬＴＥ＿アクティブ状態では、制御情報をやり取りする目的でシグナリング用ＳＡＥ無線ベアラが確立され、ＵＥはユーザ・プレーン情報を受信し、システム情報を送信するように構成されたトランスポート・チャネルをモニターできる。
【００２５】
スペクトル配置、システム帯域幅及びＵＥの能力 
先に説明したように、Ｅ−ＵＴＲＡは各々のスペクトル配置内で独立に動作するものとする。様々なスペクトル配置に対応するシステム帯域幅は、1.25、2.5、5.0、10.0、15.0 及び20.0 MHzになると思われる。しかし、これらのシステム帯域幅サイズの各々について、アクティブ・モードまたはアイドル・モード（ＬＴＥ ３ＧＰＰシステムの場合にはＬＴＥ＿アクティブ・モードとＬＴＥ＿アイドル・モードとも言われる）においてある特定の帯域幅能力をもつＵＥの周波数領域における実際の位置（ＵＥキャンピング）に依存するいくつかのシナリオを定義し得る。ＬＴＥ標準化の第ＩＩ段階における現在の合意によれば、端末の帯域幅能力は、少なくとも10 MHzあることがよいとされる。図５は、説明の一般性を失うことなく、 等しいサイズの３個のサブバンドに分割された15 MHzのシステム帯域幅サイズを想定し、各端末固有の帯域幅能力が5、10及び15 MHzであると仮定した場合の典型的な配置のシナリオを示す。
【００２６】
TSG RAN WG1の現在の決定によれば（非特許文献４を参照―http://www.3gpp.orgで得られ、参照により本文書に援用される）、ブロードキャスト・システム情報は、システム帯域幅の中心部で送信される。図６に示すように、ＬＴＥ＿アクティブのＵＥが無線セルＡのシステム帯域幅の上側部分または下側部分に配置されるとすれば、当該ＵＥは無線セルＢのシステム帯域幅の中心部でブロードキャストされるシステム情報を復号できない。
【００２７】
モビリティ管理−中断時間
ＬＴＥでは、アクティブ状態またはモードにある端末の同一ＲＡＴ（無線アクセス・テクノロジー）内モビリティがハード・ハンドオーバ手順によって実現される。図７は、第３層のメッセージ（ＬＴＥではＥ−ＲＲＣプロトコル・メッセージ）のレベルでのハード・ハンドオーバ手順を示し、その中でハンドオーバにより生じる対応する中断時間を示す。ＵＥが接続性をもたない中断時間（すなわち、元のセルからデタッチし（離れて）、移動先セルにおいてアクティブ・モードに入るまでの時間）は、移動先の拡張型ノードＢのブロードキャスト制御チャネルからのシステム情報（ＳＩＢ５，ＳＩＢ７及びＳＩＢ１７）の取得のために増加される。
【００２８】
システム情報は、［Ｅ−ＲＲＣ］ハンドオーバ指示メッセージ受信後でなければ取得できない。移動先セルにおける各ＳＩＢについてのスケジューリング情報を含むＭＩＢを受信することが、システム・アクセスと第３層の接続性確立のために関連する各ＳＩＢを受信するためには必要であるから、移動先セルにアタッチしているＵＥがＭＩＢを受信する前に関連するシステム情報（各ＳＩＢ）を受信することは不可能である。［Ｅ−ＲＲＣ］ハンドオーバ指示を受信するほんの少し前にＭＩＢが送信された場合、同ＭＩＢを受信し、その後にシステム・アクセスのための関連する各ＳＩＢを受信できるためには、ＵＥはしたがってＭＩＢのほぼ全繰返しサイクルを待つ必要がある。これは、結果的に、中断時間を約50 ms増加させることになるとみられる。制御プレーンのレイテンシーを100 ms未満にするというＬＴＥ要件を考えると、この増加は重大である。
【００２９】
もう一つの問題点は、ＬＴＥ＿アイドル・モードにある端末についての同一ＲＡＴ内モビリティである。通常、このメカニズムは、セル再選択手順によって管理される。制御プレーンのレイテンシーを減少させるという要件と中断時間を減少させるという一般のサービス・ベースの要件を考えると、Ｅ−ＲＲＣ状態機械のＬＴＥ＿アクティブ（元のセル）→ＬＴＥ＿アイドル（元のセル）→ ＬＴＥ＿アイドル（移動先セル）→ＬＴＥ＿アクティブ（移動先セル）という遷移チェーンにおけるレイテンシーを最小にすることが重要である。
【００３０】
上記遷移チェーンの第一の部分はセル再選択にかかわると仮定すると、これは図８に示すセル再選択手順の中断時間を減少させることに言い換えられる。ハード・ハンドオーバと同様に、ハンドオーバ手順について上述したケースと同じく、システム情報は［Ｅ−ＲＲＣ］Ｅ−ＲＲＣ接続解放メッセージの受信後でなければ取得できない。したがって、制御プレーンのレイテンシーに関する同じ問題とそれに伴う影響が、ＬＴＥ＿アイドル・モードにあるＵＥのモビリティ管理にも存在する。
【００３１】
移動先セルへアタッチした状態になる前には、ＵＥは隣接セルからのＢＣＣＨ上のシステム情報を受信することができない。移動先セルにおけるシステム・アクセスのために必要な各ＳＩＢは、移動先セルのＭＩＢを復号した時点後にはじめて受信可能となるため、アクティブまたはアイドル・モードにあるＵＥのモビリティ手順のレイテンシーは、ＬＴＥシステムについて定義された約100msの所望の中断時間を達成するには高すぎると思われる。
【非特許文献１】3GPP TS 25.401: "UTRAN Overall Description"
【非特許文献２】3GPP TS 25.331, "Radio Resource Control (RRC)", version 6.7.0, section 8.1.1
【非特許文献３】3GPP TR 25.913, “Requirements for Evolved UTRA (E-UTRA) and Evolved UTRAN (E-UTRAN)”, version 7.3.0
【非特許文献４】3GPP TR 25.814, “Physical Layer Aspects for Evolved UTRA”, version 1.4.1
【非特許文献５】3GPP RAN LTE ad hoc Tdoc R2-062016, “UL Timing Acquisition in LTE HO”
【発明の開示】
【発明が解決しようとする課題】
【００３２】
本発明の目的は、上に概説した問題の少なくとも一つを克服するメカニズムを提案することである。本発明のより詳しい目的は、上記手順に伴う中断時間を減少させるように、現行のモビリティ手順の改良を提案することである。
【課題を解決するための手段】
【００３３】
上記の目的の一つは、独立請求項の主題によって解決される。本発明の有利な実施形態は、従属請求項の主題である。
【００３４】
本発明のある態様によれば、一つの無線セルから別の無線セルへ（例えば、元の無線セルから移動先無線セルへ）、無線アクセス・ネットワーク中の移動端末のアタッチメント・ポイントを変更するように、または接続性を変更するように移動端末に通知する制御メッセージへポインタ（元のセルを通じて―すなわち、移動端末が現在その中にいるセル内で送信される）を導入することが提案される。制御メッセージ中のこのポインタは、これによって、移動先セルにおける移動先セル特有のシステム情報を指し示す。一つのより詳しい例では、制御メッセージ中の上記ポインタは、移動先セルへのシステム・アクセスのために、及び／またはモビリティ手順を実行するために必要である移動先セル特有のシステム情報を指し示すことができる。
【００３５】
一つの実施形態では、上記ポインタは、移動先セル内でブロードキャスト／送信される、移動先セル特有のシステム情報のスケジューリング情報を指示することができる。本発明の別の実施形態では、上記ポインタは、移動先セルへのシステム・アクセス及び／または、例えば、ハンドオーバまたはセル再選択などのモビリティ手順のために必要である移動先セルにおけるシステム情報を指し示す。
【００３６】
本発明の別の態様は（制御メッセージへポインタを含む態様と有利に組み合わせることができる）、システム情報を送信することの柔軟性を増加する。これによれば、セルのシステム情報は、固定速度のトランスポート・チャネルを介して及び／または可変速度のトランスポート・チャネルを介して送信される。したがって、元のセル内で移動端末へ送信される制御メッセージ中の上記ポインタは、例えば、システム情報またはその個々の分割部分のトランスポート・フォーマットなどのスケジューリング情報、及び／またはシステム情報またはその個々の分割部分を固定速度のトランスポート・チャネル及び／または可変速度のトランスポート・チャネルへマッピングすることの指示を指示できる。
【００３７】
本発明の一つの実施形態によると、移動通信システム内において、移動先セル特有のシステム情報について移動端末に通知するための方法が提供される。移動端末は、元のセルの無線リソース制御エンティティから送信された制御メッセージによって、元のセルから移動先セルへ接続性または自己のアタッチメント・ポイントを変更するように指示を得ることができる。この制御メッセージは、移動先セル内での移動先セル特有のシステム情報への少なくとも一つのポインタを含んでなる。
【００３８】
移動先セル特有のシステム情報は、例えば、移動先セルの無線インタフェース上で接続性を確立することに関連する情報またはアタッチメント・ポイントを移動先セルへ変更することに関連する情報を含んでなり得る。
【００３９】
制御情報に含まれた上記少なくとも一つのポインタを使用して、移動端末は移動先セルにおける移動先セル特有のシステム情報を受信可能になり得る。
【００４０】
本発明の別の例示的な実施形態では、移動先セルにおける移動先セル特有のシステム情報は、固定速度のトランスポート・チャネルまたは可変速度のトランスポート・チャネルにマッピングされる。ポインタは、したがって、移動先セル内の固定速度のトランスポート・チャネル及び／または可変速度のトランスポート・チャネルへの移動先セル特有のシステム情報のマッピングを指示し得る。
【００４１】
さらに別の実施形態では、ポインタは、移動先セル特有のシステム情報の少なくとも一部分についての送信フォーマットとタイミングを含んでなるスケジューリング情報がそこから有効になる先頭のシステム・フレーム番号を含み得る。上記スケジューリング情報は、例えば、移動端末によって受信される移動先セル特有のシステム情報の一部分であることもあり得る。
【００４２】
無線リソース制御プロトコルによる制御メッセージの再送信時には、本発明の別の実施形態は、更新されたシステム・フレーム番号または移動先セル特有のシステム情報の少なくとも一部分についての送信フォーマットとタイミングを含んでなる更新されたスケジューリング情報を指示する、媒体アクセス制御プロトコル特有のプロトコル・データ・ユニットが移動端末へ送信されることを提案する。
【００４３】
これによって、制御メッセージは、例えば、移動先セル特有のシステム情報が移動先セル内で再送信される間隔を指定する再送信周期または更新されたシステム・フレーム番号を指示し得る。さらに、別の実施形態では、移動端末は、上記システム・フレーム番号と上記再送信周期に基づいて、更新されたシステム・フレーム番号を決定する。
【００４４】
固定速度のトランスポート・チャネルは、例えば、固定のトランスポート・フォーマットを有するブロードキャスト・トランスポート・チャネルであることが可能であり、可変速度のトランスポート・チャネルは、可変のトランスポート・フォーマットを有する共有トランスポート・チャネルまたはブロードキャスト・トランスポート・チャネルであることが可能である。
【００４５】
さらに、本発明の別の実施形態では、移動先セル特有のシステム情報は、少なくとも一つのシステム情報ブロックの形態で送信される。この場合、制御メッセージ中のポインタは、各システム情報ブロックが、移動先セル内の固定速度のトランスポート・チャネル及び／または可変速度のトランスポート・チャネルのいずれにマッピングされているかを指示し得る。
【００４６】
さらに、システム情報ブロックが可変速度のトランスポート・チャネルにマッピングされている場合は、上記ポインタは、可変速度のトランスポート・チャネル上の、例えば、各システム情報ブロックの送信フォーマットとタイミングをさらに指示できる。システム情報ブロックが固定速度のトランスポート・チャネルにマッピングされている場合は、上記ポインタは、移動先セル内の固定速度のトランスポート・チャネル上の、例えば、各システム情報ブロックの位置を指定でき、各システム情報ブロックが再送信される繰返しサイクルを必要に応じて選択的に指定できる。
【００４７】
別の実施形態では、可変速度のトランスポート・チャネルにかかわる制御情報が、移動先セル内において制御チャネル上で移動端末に送信される。この制御情報は、可変速度のトランスポート・チャネル上で送信される各システム情報ブロックの送信フォーマットとタイミングを指示し得る。さらに、上記制御情報は、論理チャネルからトランスポート・チャネルへのマッピングの識別を含んでなり得る。
【００４８】
本発明の別の実施形態では、移動先セル特有のシステム情報への上記ポインタは、移動先セル特有のシステム情報の少なくとも一部分がそこにマッピングされている、少なくとも一つの可変速度のトランスポート・チャネルの設定に関する情報を含んでなる。
【００４９】
さらに別の実施形態によれば、上記制御メッセージは、移動先セル特有のシステム情報の一部分、例えば、１個以上のシステム情報ブロックを含んでなり得る。
【００５０】
別の実施形態では、移動先セル特有のシステム情報の少なくとも一部分は、移動通信システムの無線インタフェースの少なくとも２個の異なるリソース・ブロックで同時に送信される。上記一部分は、例えば、少なくとも１個のシステム情報ブロックに相当し得る。
【００５１】
本発明の一つの実施形態では、上記制御メッセージは、可能性のある複数の隣接セルのうちの一つにアタッチするように移動端末に指示を与える。
【００５２】
本発明の別の実施形態では、元のセルを制御する無線リソース制御エンティティは、隣接するセルを制御する無線リソース制御エンティティから隣接するセル特有のシステム情報への少なくとも一つのポインタを受信することができる。この少なくとも一つのポインタは、例えば、フレーム・プロトコルまたはアプリケーション・プロトコル・メッセージを介して、移動先セルの無線リソース制御プロトコルから元のセルの無線リソース制御エンティティによって受信され得る。この実施形態の変形では、ＬＴＥシステムの場合には、モビリティ管理を含む無線リソース制御機能をそれぞれ端末に提供するノードＢ間のＸ２インタフェースのような、２つの無線リソース制御エンティティ間には直接的インタフェースが設けられる。
【００５３】
さらに別の変形では、隣接するセルが移動端末のハンドオーバの移動先セルである場合、または隣接するセルがセル選択またはセル再選択を実行時に移動端末がそこへアタッチする可能性のあるセルのうちの一つである場合、隣接する無線リソース制御エンティティから受信した上記ポインタは、元のセルにおいて移動端末へ送信される上記制御メッセージに含まれ得る。
【００５４】
本発明の別の実施形態によれば、元のセルから移動先セルへの移動端末の接続性またはアタッチメントの変更は、ハンドオーバ手順、セル選択手順またはセル再選択手順の一部である。
【００５５】
さらに、別の実施形態では、移動先セルにおいて動的に変化するシステム情報にかかわる移動先セル特有のシステム情報は、制御メッセージ中のポインタによって指し示され、一方、動的に変化しないシステム情報にかかわる移動先セル特有のシステム情報は、制御メッセージ内に含まれる。
【００５６】
本発明の別の実施形態では、移動先セルの重要なシステム情報にかかわる移動先セル特有のシステム情報は、制御メッセージ中のポインタによって指し示され、一方、重要ではないシステム情報にかかわる移動先セル特有のシステム情報は、制御メッセージのポインタによって指し示されることもなく、制御メッセージ内に含まれることもない。例えば、重要なシステム情報は、モビリティ手順を実行するために必要な情報であり得る。
【００５７】
さらに、ハード・ハンドオーバ手順を実行するために移動端末が取得しなければならない重要なシステム情報は、例えば、移動先セルにおける共通物理チャネルの設定に関する情報及び／または移動先セルにおける共有物理チャネルの設定に関する情報であり得る。
【００５８】
別の例では、セル選択またはセル再選択手順を実行するために移動端末が取得しなければならない重要なシステム情報は、移動先セルについてのセル選択パラメータに関する情報及び／または移動先セルにおけるアップリンク干渉に関する情報である。
【００５９】
本発明の一つの実施形態では、移動先セル特有のシステム情報は、移動先セル内で周期的に送信される。
【００６０】
本発明のある実施形態では、元のセルを通じて移動端末へ送信される制御メッセージは、例えば、無線リソース制御プロトコル・メッセージであり得る。
【００６１】
別の実施形態では、移動先セル特有のシステム情報は、移動先セルのブロードキャスト制御論理チャネル上で送信されるシステム情報である。
【００６２】
本発明の別の実施形態は、移動通信システム内において、当該無線リソース制御装置によってサーブされた移動端末に、移動先セル特有のシステム情報について通知するための無線リソース制御装置を提供する。上記装置は、移動端末に制御メッセージを送信することによって、当該無線リソース制御装置によってサーブされた元のセルから移動先セルへ接続性またはアタッチメント・ポイントを変更するように移動端末に指示を与えるための通信ユニットを具備し得る。前述したとおり、上記制御メッセージは、移動先セル内の移動先セル特有のシステム情報への少なくとも一つのポインタを含んでなり得る。
【００６３】
さらに別の実施形態では、上記通信ユニットは、少なくとも一つの隣接するセルから、隣接するセル特有のシステム情報への各ポインタを受信することができる。さらに、隣接するセルから受信した少なくとも一つのポインタは、上記制御メッセージに含まれ得る。
【００６４】
本発明の一つの実施形態では、上記制御メッセージは、移動端末へ送信される個別のメッセージである。
【００６５】
さらに別の実施形態では、上記通信ユニットは、当該無線リソース制御装置によって制御されたセルに特有のシステム情報に関するポインタを少なくとも一つの隣接する無線リソース制御装置へ送信することができる。この実施形態によれば、当該無線リソース制御装置によって制御されたセルに特有のシステム情報に関する上記ポインタは、少なくとも一つのアプリケーション・プロトコルまたはフレーム・プロトコル・メッセージ中で送信され得る。
【００６６】
別の実施形態では、上記無線リソース制御装置は、本文書に述べた様々な実施形態のうちの一つによる、移動先セル特有のシステム情報について移動端末に通知するための方法を実行するための手段をさらに具備し得る、または上記方法を実行するように適合され得る。
【００６７】
本発明のさらに別の実施形態は、移動通信システムにおいて使用される移動端末に関係する。上記移動端末は、例えば、元のセルから移動先セルへ接続性またはアタッチメント・ポイントを変更するように当該移動端末に指示する制御メッセージを受信するための通信ユニット（受信器及び送信器など）を具備することができ、上記制御メッセージは元のセルの無線リソース制御装置から受信され、上記制御メッセージは移動先セル特有のシステム情報への少なくとも一つのポインタを含んでなる。さらに、上記移動端末は、上記制御メッセージに含まれた移動先セル特有のシステム情報への上記ポインタを使用して、移動先セルへアタッチまたは接続するように適合され得る。
【００６８】
別の実施形態では、上記移動端末は、本文書に述べた様々な実施形態のうちの一つによる、移動先セル特有のシステム情報について移動端末に通知するための方法を実行し、方法に関与するための手段をさらに具備し得る、または上記方法を実行し、方法に関与するように適合され得る。
【００６９】
さらに、別の実施形態による本発明は、本文書に述べたような無線リソース制御装置と移動端末を含んでなる通信システムを提供する。
【００７０】
さらに、別に実施形態は、無線リソース制御装置のプロセッサにより実行時に、移動通信システム内において、当該無線リソース制御装置によってサーブされた移動端末に、移動先セル特有のシステム情報について通知するように上記無線リソース制御装置を動作させる命令を記憶するコンピュータにより読取り可能な媒体に関係する。上記無線リソース制御装置は、制御メッセージを移動端末に送信することによって、当該無線リソース制御装置によってサーブされた元のセルから移動先セルへ接続性またはアタッチメント・ポイントを変更するように移動端末に指示を与えることによって、当該無線リソース制御装置によってサーブされた移動端末に、移動先セル特有のシステム情報について通知するように動作させることができ、上記制御メッセージは、移動先セル内の移動先セル特有のシステム情報への少なくとも一つのポインタを含んでなる。
【００７１】
さらに別の実施形態では、上記コンピュータにより読取り可能な媒体は、上記無線リソース制御装置のプロセッサにより実行時に、本文書に述べた様々な実施形態のうちの一つによる、移動先セル特有のシステム情報について移動端末に通知するための方法の各ステップを実行するように上記無線リソース制御装置を動作させる命令を記憶する。
【００７２】
本発明の別の実施形態は、移動通信システム中の移動端末のプロセッサにより実行時に、元のセルから移動先セルへ接続性またはアタッチメント・ポイントを変更するように当該移動端末に指示する制御メッセージを受信し、上記制御メッセージは元のセルの無線リソース制御装置から受信され、上記制御メッセージは移動先セル特有のシステム情報への少なくとも一つのポインタを含んでなり、上記制御メッセージに含まれた移動先セル特有のシステム情報への上記ポインタを使用して移動先セルへアタッチまたは接続するようにする命令を記憶するコンピュータにより読取り可能な媒体に関係する。
【００７３】
さらに別の実施形態による上記コンピュータにより読取り可能な媒体は、上記移動端末のプロセッサにより実行時に、本文書に述べた様々な実施形態のうちの一つによる、移動先セル特有のシステム情報について移動端末に通知するための方法を実行し、方法に関与するように上記移動端末を動作させる命令をさらに記憶する。
【発明を実施するための最良の形態】
【００７４】
以下に、添付の図及び図面を参照して本発明をさらに詳細に説明する。図中の類似のまたは同等の細部は、同一の参照番号を付けてある。
【００７５】
すでに概説したように、本発明の一つの態様は、既存のハード・ハンドオーバまたはセル再選択手順の遅延を最小にするような改良を提案することである。この態様によれば、（元の基地局によって制御された）元の無線セルから（移動先の基地局によって制御された）移動先無線セルへ移動端末の接続性またはアタッチメント・ポイントを変更するように移動端末に指示を与えるために、移動端末へ送信される制御メッセージにポインタを含めることが提案される。
【００７６】
本発明の一つの実施形態によると、上記制御メッセージは、元の基地局から元の無線セルを通じて移動端末へ送信される。この実施形態では、基地局がそのセル内の移動端末のモビリティを管理する責務をもつことが例示的な目的で仮定されることに留意すべきである。より広義には、上記制御メッセージは、元のセル内でのモビリティ機能を処理し、元のノードＢに終端される無線リソース制御エンティティから送信されると仮定してもよい。上記制御メッセージは、例えば、セル再選択コマンド（例えば、［Ｅ−ＲＲＣ］接続解放メッセージ〕またはハンドオーバ・コマンド・メッセージ（例えば、［Ｅ−ＲＲＣ］ハンドオーバ指示メッセージ）であり得る。
【００７７】
上記制御メッセージに含まれたポインタは、 移動先セルにおける移動先セル特有のシステム情報を移動端末に指し示す。セル再選択の場合には、可能性のある複数の移動先セルのうちの各移動先セルにおける移動先セル特有のシステム情報を移動端末に指し示す制御メッセージに含まれたポインタは、一つまたは複数ある可能性がある。これらの可能性のある移動先セルは、通常、元のセルに隣接するいくつかの無線セルの少なくとも一つである。（可能性のある）移動先セルにおける移動先セル特有のシステム情報を移動端末に指し示すことにより、移動端末は、移動先セルへアタッチすると同時に、移動先セルにおけるセル特有のシステム情報を受信可能になり、移動先セル特有のシステム情報へのポインタ（または複数のポインタ）を移動先セルを通じてその前に受信する必要はない。
【００７８】
上記ポインタは、移動先セル特有のシステム情報の少なくとも一部分（例えば、少なくとも一つのＳＩＢ）に適用可能である、移動先セルのＭＩＢに存在する制御情報の集まり（例えば、使用されるトランスポート・チャネル上のＳＩＢの位置、すなわち、共通タイミング基準に相対する時間−周波数プレーンにおける位置、繰返し周期、タイマー値及び値タグ）をモジュールのように含むことができる。移動先セルのＭＩＢ中で送信される情報のサブセットを含むことに加えて、ポインタは、ポインタに含まれた情報がそこから有効になる、共通タイミング基準を示す特定の値（例えば、システム・フレーム番号）を含み得る。
【００７９】
一つの実施形態では、移動先セルにおけるセル特有のシステム情報は、移動先セルの無線インタフェース上で接続性を確立するためのシステム情報またはアタッチメント・ポイントを移動先セルへ変更することに関連する情報を含む。例えば、この関連システム情報は、移動先セルにおける共通物理チャネルの設定に関する情報及び／または移動先セルにおいてシステム情報の送信に使用される可変速度の物理チャネルまたは共有物理チャネルの設定に関する情報であり得る。選択的に、上記関連システム情報は、移動先セルにおけるアップリンク干渉に関する情報をさらに含んでもよい。
【００８０】
代替的に、関連システム情報は、移動先セルにおけるセル再選択パラメータに関する情報及び／または移動先セルにおける干渉に関する情報であってもよい。この代替において選択的に、上記関連システム情報は、移動先セルにおける共通物理チャネルの設定に関する情報をさらに含んでもよい。
【００８１】
より具体的な例では、上記関連システム情報は、以下に述べる情報であり得る。ハンドオーバ手順またはセル再選択手順のどちらが実行されるかに応じて、以下に概説する情報の異なる組合せが、移動先セルの無線インタフェース上で接続性を確立することに関連するとみなされるか、またはアタッチメント・ポイントを移動先セルへ変更することに関連する情報であるとみなされることに留意されたい。以下に挙げるシステム情報の部分の各々は、個々のシステム情報ブロック内に含めることができる。
【００８２】
システム情報の一つの重要な部分は、セル選択パラメータである。セル再選択に特に関連し得るこれらのパラメータは、移動端末がそこへアタッチできる可能性のある無線セルのセル識別、セル選択及び再選択情報（例えば、セル選択及び再選択の品質測定）、アクセス制限情報などを含んでなり得る。前掲の表１に示した類別を適用すると、この情報は、例えば、システム情報ブロックＳＩＢ３内に含めることができる。
【００８３】
モビリティ手順を実行するためのシステム情報の別の関連部分は、可能性のある移動先セルの共通物理チャネルの設定である。この情報は、ハンドオーバの場合に特に関連し得るが、セル再選択の場合にも役立ち得る。共通物理チャネルの設定は、例えば、ページング・チャネル・設定に関する情報を含むことができ、これは、ページング・チャネル用に、時間−周波数プレーンにおけるリソース・ブロックの割当て、使用される変調及び符号化方式、さらに時間−周波数プレーンにおけるＲＡＣＨ（ランダム・アクセス・チャネル）チャネルの設定（例えば、アクセス・スロットの割当て）を含んでなる。前掲の表１に示した類別を適用すると、この情報は、例えば、システム情報ブロックＳＩＢ５内に含めることができる。
【００８４】
システム情報のさらに別の関連部分は、例えば、セル再選択時に重要になり得るセルのアップリンク干渉に関する情報であり得る。この情報は、ランダム・アクセス手順においてバックオフによる付加遅延を回避できるという点で、意義をもち得る。アップリンク干渉情報は、時間−周波数プレーンにおいて定義されたランダム・アクセス・チャネルごとのアップリンク干渉情報を含んでなり得る。前掲の表１に示した類別を適用すると、この情報は、例えば、システム情報ブロックＳＩＢ７内に含めることができる。
【００８５】
システム情報の別の関連部分は、接続モードにおける共有物理チャネルの設定に関する情報であり得る。特に重要とされるのは、アップリンク及びダウンリンクＳＣＨ（共有チャネル）とそれに付随したＬ１／Ｌ２（第１層／第２層）制御チャネルにおける上記情報である。上記付随したＬ１／Ｌ２制御チャネルは、通常、ダウンリンク・データ送信のためのスケジューリング情報、アップリンク・データ送信のためのスケジューリング・グラント、及びアップリンク・データ送信のためのＡＣＫ／ＮＡＣＫを伝送し得る。さらに詳しく言うと、各チャネルの設定は、時間−周波数プレーンにおけるリソース・ブロックの割当てと使用される変調及び符号化方式を含んでなり得る。前掲の表１に示した類別を適用すると、この情報は、例えば、システム情報ブロックＳＩＢ１７内に含めることができる。
【００８６】
本発明の一つの実施形態では、個々の種類のシステム情報は、システム情報ブロックに種類別に入れられ得る。したがって、制御メッセージ内の指し示された移動先セル特有のシステム情報が個々のシステム情報ブロックで別々に通信されるとすれば、制御メッセージは、例えば、システム情報ブロックの各々を指し示すポインタを含み得る、またはポインタはすべてのシステム情報ブロックに関連する情報を含んでなり得る。
【００８７】
別の実施形態では、移動先セル特有のシステム情報は、３ＧＰＰベースのシステムでは、例えば、ＢＣＣＨなどのブロードキャスト制御論理チャネルのデータであり、各セル内のすべての端末へブロードキャストされることになる。移動先セル特有のシステム情報は、したがって、移動先セルのブロードキャスト制御論理チャネルの一つ以上のシステム情報ブロックであり得る。本発明の一つの実施形態では、無線セル内の送信用の単一のブロードキャスト（トランスポート）チャネルにシステム情報ブロックをマッピングすることができる。別の実施形態では、複数のトランスポート・チャネル、例えば、固定速度のトランスポート・チャネル及び／または可変速度のトランスポート・チャネルにシステム情報ブロックをマッピングすることができる。固定速度のトランスポート・チャネルは、固定速度のブロードキャスト・チャネルまたは一次ブロードキャスト・チャネルと表記されることもあり、一方、可変速度のトランスポート・チャネルは、可変速度のブロードキャスト・チャネルまたは二次ブロードキャスト・チャネルと表記されることもある。言い換えれば、固定速度のトランスポート・チャネルは、したがって、ブロードキャスト論理チャネルの「固定速度の部分」とみなすこともでき、一方、可変速度のトランスポート・チャネルは、ブロードキャスト論理チャネルの「可変速度の部分」とみなすこともできる。
【００８８】
もっと後でさらに詳細に説明するが、本発明の一つの実施形態によれば、個々のシステム情報ブロック（移動先セル特有のシステム情報の一部分）を、固定速度のトランスポート・チャネルと可変速度のトランスポート・チャネルのいずれか一方またはこれらの両方にマッピングすることができる。さらに、別の実施形態では、一つ以上のシステム情報ブロック（移動先セル特有のシステム情報の一部分）を移動先セルの異なる無線リソース上で同時に送信できる。
【００８９】
可変速度及び／または固定速度のトランスポート・チャネルへのシステム情報ブロックのマッピングは、移動端末によるこの情報の取得が端末の処理時間と電力消費の面で最適化できる点で有利であると言える。またこれにより得られるその他の利点としては、独立スペクトル割当てのすべてのサイズにおいて移動端末がブロードキャスト・システム情報を読み取る時間が改良されること、ブロードキャスト用のトランスポート・チャネルを設定する際にオペレータの柔軟性が増大すること、そして可変速度のトランスポート・チャネルにシステム情報をマッピングすることにより生じ得る、システム情報のスケジューリング効率の増加を挙げることができる。
【００９０】
概して言うと、制御メッセージ中のポインタは、少なくとも一つのシステム情報ブロック（または移動先セル特有のシステム情報の一部分）のスケジューリングに関する情報を含み得る。システム情報ブロック（または移動先セル特有のシステム情報の一部分）が可変速度のトランスポート・チャネルにマッピングされる場合、ポインタは、例えば、送信フォーマット（例えば、時間−周波数プレーンにおける位置、すなわち、割り当てられたリソース・ブロックそのもの、使用される変調及び符号化方式、ＤＴＸ−不連続送信も可能である）と各システム情報ブロック（または移動先セル特有のシステム情報の一部分）の可変速度のトランスポート・チャネル上のタイミングを指示できる。システム情報ブロック （または移動先セル特有のシステム情報の一部分）が固定速度のトランスポート・チャネルにマッピングされる場合、ポインタは、各システム情報ブロックの固定速度のトランスポート・チャネル上の位置（例えば、時間−周波数プレーンにおける位置、すなわち、割り当てられたリソース・ブロックそのもの）と、選択的に、各システム情報ブロックが移動先セルの下で共通タイミング基準に相対して、それに基づいて送信されるタイミングを指定できる。最後に、両方の場合において、ポインタは、そこから情報が有効であることを示す先頭のＳＦＮ（セルのタイミング基準の共通単位であるシステム・フレーム番号）を含み得る。さらに、システム情報ブロック（または移動先セル特有のシステム情報）を２つ以上のトランスポート・チャネルにマッピングすることが予見される場合には、ポインタは、各システム情報ブロック （または移動先セル特有のシステム情報の一部分）がそこへマッピングされるトランスポート・チャネルの指示を含むこともできる。
【００９１】
ブロードキャスト・チャネルの可変速度の部分上での関連システム情報の送信は、移動先セルにおいて、関係したシステム情報ブロックのスケジューリングのよりフレキシブルな実現を可能とし得ることに留意すべきである。しかし、本発明は、移動先セルのブロードキャスト・チャネル（ＢＣＨなど）の可変速度の部分上で関連システム情報を送信することだけに限定されない。ブロードキャスト・チャネルの固定速度の部分だけが使用される本発明の実現もまた予見され得る。
【００９２】
さらに、可変速度のトランスポート・チャネル上の送信は、「可変速度の送信」または「フレキシブルな速度の送信」と言い表すこともできる（これに応じて、可変速度のトランスポート・チャネルは、フレキシブルな速度のトランスポート・チャネルと表記することもできる）。
【００９３】
３ＧＰＰベースの通信システムにおける本発明の実現に関係した一つの例示的な実施形態によれば、システム情報の可変速度の送信は、可変のトランスポート・フォーマットを有するＤＬ−ＳＣＨトランスポート・チャネルまたはＢＣＨトランスポート・チャネル上での送信によって実現可能である。同様に、「固定速度の送信」は、例えば、システム情報用の固定のトランスポート・フォーマットを有するＢＣＨトランスポート・チャネル上での送信によって実現可能である。
【００９４】
本発明の別の態様は、セル特有のシステム情報へのポインタを通信システム内の無線リソース制御エンティティ間で通信することに関係する。これは、例えば、セル内でのシステム情報の送信のための固定的な設定（各々隣接する無線リソース制御エンティティに知られている）が使用されていない場合には、有利であり得る。この態様によれば、典型的に隣接するセルの基地局どうしが互いに、報告を発するエンティティのセル内のセル特有のシステム情報を指し示すポインタ（例えば、スケジューリング情報及び／または関連システム情報のマッピング）を相手の基地局に通知できる。上記情報（ポインタまたは複数のポインタ）のシグナリングは、例えば、要求−応答メカニズムに基づいてもよいし、または、例えば、システム情報のマッピングの変更または送信フォーマット及び／またはシステム情報のタイミングの変更に対応して、ある無線リソース制御エンティティによって始動されてもよい。ハンドオーバやセル再選択など、システムで定義されたモビリティ手順は複数ある可能性があるので、無線リソース制御エンティティは各モビリティ手順に関連したシステム情報への各ポインタをシグナリングし得る（もちろん、同じシステム情報が複数のモビリティ手順に関連する場合、一つのポインタだけをシグナリングしてもよい）。３ＧＰＰベースの通信ネットワークにおけるこの態様の実現に関係する本発明の例示的な実施形態では、元のノードＢは、一つ以上の隣接するノードＢから一つ以上のモビリティ手順に関連したＳＩＢのスケジューリングを通知され得る。前述したように、ＳＩＢのスケジューリングは固定的なトランスポート・フォーマットを使用できる、及び／またはトランスポート・チャネルへの固定的なマッピングが使用され得る。これは、例えば、全体的な動作及び保守（Ｏ＆Ｍ）の一部として設定可能である。代替的に、スケジューリング及び／またはマッピングは、動的であってもよく、フレームまたはアプリケーション・プロトコルを用いて、ノードＢ間のＸ２インタフェース（図２を参照）を介してシグナリングされることにより交換可能である。最後に、ハード・ハンドオーバの場合には、所望の情報は、例えば、元のノードＢから移動先のノードＢへ送信されるハンドオーバ応答メッセージ中に組み込まれてもよい。
【００９５】
様々な例示的な実施形態による本発明の概念を以下にさらに詳しく述べる前に、本発明の一つの例示的な実施形態による（例えば、ブロードキャスト制御チャネル（ＢＣＣＨ）―論理チャネル上で送信される）システム情報の構成を、図４を参照して、さらに詳しく概説する。情報の構成は、木のような構造をとり得る。いわゆるマスター情報ブロック（ＭＩＢ）が木構造の根を形成し、いわゆる各システム情報ブロック（ＳＩＢ）がその枝となる。ＭＩＢ情報は、ブロードキャスト・システム情報を運ぶ各ＳＩＢよりも少ない頻度で送信され得る。ＭＩＢ中の情報は、ＭＩＢ情報が送信されるたびに、個々の端末によって読まれる必要がないこともある。例示的な目的で、この実施形態では、システム情報は単一のブロードキャスト・トランスポート・チャネルにマッピングされると仮定できる。
【００９６】
例えば、ＭＩＢ内の区分の一つ一つは、各システム情報ブロックに関する情報のために確保され得る。確保された区分に含まれた、各ＳＩＢに関連した制御情報は、次のような構成をとることができる。ＭＩＢのポインタに含まれる、ＳＩＢに関連した各制御情報は、各ＳＩＢが共通タイミング基準に相対して送信されるブロードキャスト・トランスポート・チャネル（固定速度または可変速度のトランスポート・チャネル）上の各ＳＩＢの位置を含み得る。さらに、ＳＩＢの繰返し周期が指示され得る。この繰返し周期は、各ＳＩＢが送信される周期を示す。上記制御情報は、タイマーに基づいた更新メカニズムのためのタイマー値、または代替的に、ＳＩＢ情報のタグに基づいた更新メカニズムのための値タグをさらに含むことができる。
【００９７】
移動先セルにおけるＭＩＢのこの典型的な構成とＳＩＢの論理チャネルからトランスポート・チャネルへのマッピングを使用すると、典型的なブロードキャスト・トランスポート・チャネルの構成は、図９に示すような様相となり得る。移動端末が、このチャネル構成を有する移動先セルへアタッチするまたは接続するためにモビリティ手順を実行するとき、この移動先セルへアタッチまたは接続するように移動端末に通知する制御メッセージは、そのモビリティ手順のためのトランスポート・フォーマットと関連システム情報の相対的タイミングを示す制御情報を有するポインタを含んでなり得る。例えば、関連システム情報が、ハンドオーバ手順のためのＳＩＢ５とＳＩＢ１７に含まれていたとすれば、制御メッセージのポインタが、移動先セルにおける上記のＳＩＢを移動端末に指し示せるので、その結果、（例えば、ＭＩＢが移動先セルにおいてブロードキャストされた後に移動端末が制御メッセージに応答して移動先セルにアタッチする場合のように）ＭＩＢを最初に受信しなくとも、移動端末は移動先セルにアタッチすると同時に上記のＳＩＢを受信できる。
【００９８】
次に、システム情報が固定速度のトランスポート・チャネル及び／または可変速度のトランスポート・チャネルの一方または両方にマッピングされる、本発明の別の例示的な実施形態を説明する。図１０は、システム情報が固定速度のトランスポート・チャネルと可変速度のトランスポート・チャネルにマッピングされる場合の本発明の例示的な実施形態による、移動先セル特有のシステム情報へポインタを元のセルを介して送信される制御メッセージに含めることの概念を示す。例示的な目的で、本実施形態では、表１に提示したブロードキャスト・システム情報の各システム情報ブロック（ＳＩＢ）への類別が適用されることが仮定できる。前掲の表１の内容は、ブロードキャスト・システム情報の内容と分類の一つの可能な例としてのみ考慮されるべきである。また、システム情報の異なる部分がブロードキャストされる頻度の分類及び異なる各ＳＩＢへのその分類は、例示的な目的でのみ役に立つように意図され、本発明をこの例に限定するように意図されてはいない。既存の移動通信システムの現行の発展と改良において、内容、フォーマット、送信周期等は、変わる可能性があると認識される。
【００９９】
さらに、システム情報は、移動先セル内の固定速度のトランスポート・チャネル及び／または可変速度のトランスポート・チャネルにマッピングされることが、例示的な目的でのみまた仮定できる。固定速度のトランスポート・チャネル上で、ＭＩＢは周期的に送信され、 ＭＩＢは、各ＳＩＢの固定速度のトランスポート・チャネル及び／または可変速度のトランスポート・チャネルへのマッピングを識別する制御情報、並びに各ＳＩＢの送信フォーマット及び／またはタイミング（固定的ではないまたは予め設定されていない場合）を含み得る。例示的な目的で、可変速度のトランスポート・チャネルは、周波数領域における全システム帯域幅のうちの所定の帯域幅を使用するように仮定できる。このチャネル帯域幅は、図１０に例示するように、周波数領域において複数のサブバンドまたはサブキャリアに分割できる。時間領域において、可変速度のトランスポート・チャネルの無線インタフェース・リソースは、個別のサブフレームに分割できる。各サブフレームには、時間領域中のサブフレームの相対的位置を示すシステム・フレーム番号（ＳＦＮ）を割り当てることができる。
【０１００】
周波数領域でのサブバンドまたはサブキャリアと時間領域でのサブフレームは、ユーザに割当て可能な無線インタフェース・リソースの最小単位であり得るリソース・ブロックを形成する。もちろん、リソース・ブロックの定義は柔軟であり、例えば、リソース・ブロックが周波数領域での一つ以上のサブバンド／サブキャリア及び／または時間領域での一つ以上のサブフレームにわたることも可能である。さらに、送信時間間隔（ＴＴＩ）の長さは、時間領域における１サブフレームの長さに等しいことが例示的な目的で仮定できる―もちろん、ＴＴＩは代替的に複数のサブフレームにわたってもよい。
【０１０１】
先に説明したように、従来のシステムでは、新しい無線セル（移動先セル）へアタッチした移動端末は、移動先セル内のマッピング及びトランスポート・フォーマット及び／または各ＳＩＢのタイミングをそこから得るために、固定速度のトランスポート・チャネル上でＭＩＢを先ず受信する必要があった。この制御情報を得てはじめて、移動端末は、ハンドオーバやセル再選択などのモビリティ手順を実行するための関連したＳＩＢを含むＳＩＢを受信できる。
【０１０２】
移動先セルへアタッチ／接続するように指示する制御メッセージが移動先セル内でＭＩＢが送信された後の時間インスタンス（例えば、０）に受信されるとすれば、モビリティ手順を実行するための関連したＳＩＢ受信できるようになるまでに移動端末は次のＭＩＢを待つ必要があった。本発明のこの実施形態によれば、上記制御メッセージは、モビリティ手順を実行するための関連したＳＩＢ―この例ではＳＩＢ５とＳＩＢ１７へのポインタを含んでなる。移動先セル内でＭＩＢを逃したとしても、制御メッセージの上記ポインタが、移動先セル内のＳＩＢ５とＳＩＢ１７のマッピング、タイミング及びトランスポート・フォーマットの情報を移動端末に与えるので、移動先セル内で次のＭＩＢを受信せずとも、移動先セルへアタッチした時点で移動端末はこれらのＳＩＢを受信でき、モビリティ手順を続行できる。
【０１０３】
次に、本発明の例示的な実施形態による２つの例示的なモビリティ手順、ハード・ハンドオーバ手順とセル再選択手順を図７と図８を参照して説明する。
【０１０４】
図７は、すでに前に説明したハード・ハンドオーバ手順を示す。本発明の一つの実施形態によるハード・ハンドオーバ手順の改良点を以下に説明する。例示的な目的で、各セルにおいてノードＢが無線リソース制御エンティティとして動作すると仮定される。最初、ＵＥは現在の無線セル（元のセル）内のノードＢに接続されていて、ユーザ・プレーンのデータを元のノードＢと交換する。３ＧＰＰベースのシステムでは、ユーザ・プレーンのデータを受信中はアクティブ状態にある。ＵＥは、例えば、チャネル品質測定を元のノードＢへ定期的に提供でき、この測定情報はＵＥが他セル（移動先セル）へハンドオーバされる必要があるか否かを決定するために、元のノードＢによって評価される。ＵＥを移動先のノードＢへハンドオーバするように元のノードＢが決定すると、元のノードＢはハンドオーバ要求を移動先のノードＢへ送信し、移動先のノードＢはこの要求に応じてＵＥに対する入域許可制御を実行できる。この要求は、例えば、移動先のノードＢがリソースをしかるべく設定できるように、ＵＥに関係したサービス及びシステム情報のコンテクスト転送を含むことができる。ＵＥが移動先のノードＢへ接続するように入域許可される場合、移動先のノードＢは、移動先のノードＢがＵＥを移動先セルに接続するように準備中であることを元のノードＢに知らせるハンドオーバ応答により応答する。この例示的な実施形態では、移動先のノードＢによって送信されるハンドオーバ応答メッセージは、ＵＥがハンドオーバ手順を実行するために関連した、移動先セル内の移動先セル特有のシステム情報及び／または移動先セル特有のシステム情報へのポインタを含み得る。さらに、例えば、元のセルと移動先セルが同期されていない場合には、移動先のノードＢによって送信されるハンドオーバ応答は、ハンドオーバ指示の中でＵＥに提供可能な同期情報も含み得る。この同期情報は、例えば、個別メッセージに含まれることになるポインタに含まれた情報がそこから有効になる先頭の、移動先セルにおけるシステム・フレーム番号（ＳＦＮ）であり得る。したがって、移動先セルのブロードキャスト・チャネルからＳＦＮを取得後には、ＵＥは元のセルのポインタに含まれた情報が適用可能であるか否かを知ることができる。
【０１０５】
移動先のノードＢからのハンドオーバ応答メッセージの受信に対応して、元のノードＢはハンドオーバ指示をＵＥへ送信する。このハンドオーバ指示は、元のセル内のユーザ・プレーンを破棄して、移動先セル内でユーザ・プレーンを確立するように（すなわち、移動先セル内でアクティブ状態に入るように）ＵＥに命令する個別制御メッセージである。３ＧＰＰベースのシステムでは、ＵＥはハンドオーバ手順中でもアクティブ状態を継続している。移動先セル内でのユーザ・プレーンの確立を迅速化するために、上記ハンドオーバ指示は、（移動先セルへアタッチするのに）そして移動先セル内でユーザ・プレーンを確立するのに関連する移動先セル特有のシステム情報をＵＥに指し示すポインタを含み得る。
【０１０６】
表１に示した典型的な類別を適用すると、移動先セルについてのこの関連情報は、例えば、ＳＩＢ５、ＳＩＢ７及びＳＩＢ１７であり得る。この関連システム情報へのポインタをすでに受信したことにより、ＵＥは、移動先セルへアタッチすると、移動先セルのブロードキャスト制御論理チャネルのＳＩＢ５、ＳＩＢ７及びＳＩＢ１７を取得できる。前述のとおり、移動先セル内でＳＩＢ５、ＳＩＢ７及びＳＩＢ１７を受信できるようになるために、ＵＥはＭＩＢを最初に受信する必要はない。関連システム情報を取得したら、移動先のノードＢへハンドオーバ完了メッセージが送信された時点で、ＵＥはユーザ・プレーンをアクティブ化でき、ユーザ・プレーン・データの交換を開始できる。
【０１０７】
図８は、セル再選択手順を示す。ハード・ハンドオーバの場合と同様に、本発明の例示的な実施形態によるこの手順の改良点を次に説明する。各セルにおいてノードＢが無線リソース制御エンティティとして動作することが、例示的な目的で仮定される。一般には、セル再選択手順は、アイドル・モードのＵＥによって実行される。図８に示した例では、 ＵＥは最初はアクティブ・モードにあり、元のセルにおいてユーザ・プレーン・データを送受信することが、例示的な目的で仮定される。さらに、ＵＥは元のノードＢにトラヒック量測定を提供でき、この測定情報は、元のノードＢがＵＥへの接続を維持すべきか否かを決定できるようにし、元のノードＢで評価される。接続を維持せず、代わりにハンドオーバを実行する場合、接続解放メッセージによって元のノードＢはＵＥへの接続を解放でき、その結果ＵＥはアイドル・モードに入る。このメッセージによって、元のノードＢは、ＵＥのモビリティの制御をＵＥへいわば委譲する。本発明の一つの例示的な実施形態では、接続解放メッセージは、ＵＥがセル再選択を実行するために関連した、可能性のある移動先セルにおける可能性のある移動先セル特有のシステム情報及び／または可能性のある移動先セル特有のシステム情報へのポインタを含んでなる。通常、可能性のある移動先セルは、元のセルに隣接するセルである。
【０１０８】
接続解放を受信すると、ＵＥは接続先の無線セルを選択するためにセル再選択を実行する。選択した移動先セルの関連システム情報及び／または関連システム情報へのポインタはＵＥに知られているから、ＵＥはアタッチした時点で移動先セル内のシステム情報を読み始めることができる。さらに、ＵＥ（アイドル・モードの）が移動先セル内でページングされると仮定すると、または（図８に示すように）アクティブ状態になる、すなわち、ユーザ・プレーンの接続を確立する決定をすると仮定すると、ＵＥと移動先のノードＢは、接続要求、接続設定及び接続完了のメッセージを交換することによりユーザ・プレーンの接続を確立する。
【０１０９】
図１１は、システム情報が固定速度のトランスポート・チャネルと可変速度のトランスポート・チャネルにマッピングされ、第１層アウトバンド識別が使用される場合の本発明の別の例示的な実施形態による、移動先セル特有のシステム情報へのポインタを元のセルを介して送信される制御メッセージに含めることの概念を示す。
【０１１０】
図１１において、移動先セル内のシステム情報及びそれにかかわる制御シグナリングは、固定速度のトランスポート・チャネル、可変速度のトランスポート・チャネル及び可変速度のトランスポート・チャネルに付随した物理制御チャネルの３つの異なるチャネルにマッピングされることが示される。制御チャネルは、可変速度のトランスポート・チャネル上のシステム情報の送信フォーマットとタイミングを記述する制御情報を含むという形で、可変速度のトランスポート・チャネルに付随される。
【０１１１】
さらに、モビリティ手順を実行時に及び移動先セルへのアタッチ時に、移動先セル内でシステム情報を受信すべき移動端末（または、同意義には、論理チャネルからトランスポート・チャネルへのマッピング）は、各々の第１層アウトバンド識別によって指定され得る。したがって、論理チャネルからトランスポート・チャネルへのマッピングは、付随した物理制御チャネル（例えば、ＳＣＳＣＨ）上で指示される。
【０１１２】
移動先セルにおいて、ブロードキャスト制御論理チャネル（例えば、ＵＭＴＳにおけるＢＣＣＨ）上で、例えば、提供されるシステム情報は、図１１の可変速度のトランスポート・チャネルと固定速度のトランスポート・チャネルにマッピングされる。
【０１１３】
マスター制御ブロック（ＭＩＢ）は、固定速度のトランスポート・チャネル上で周期的に（ＭＩＢ繰返し周期）送信される。例えば、ＭＩＢは、所定の数の送信時間間隔（ＴＴＩｓ）等の所定の時間長後に送信され得る。さらに、図１０に示したのと同様の固定速度のチャネルとフレキシブルな速度のチャネルのチャネル構成を仮定すると、サブフレームは、１個以上のシステム情報ブロック（ＳＩＢ）を有し得る。一つのＳＩＢは、送信されるべきシステム・ブロードキャスト情報の一部分を有する。例えば、各ＳＩＢは、表１に例示した、ある類別の情報の所定のまたは設定可能なセットを含有し得る。
【０１１４】
図１１に示した例示的な実施形態で使用されるＭＩＢを図１２にさらに詳細に示す。図１２は、本発明の一実施形態による図１１に示したような第１層アウトバンド・シグナリング時の、固定速度のトランスポート・チャネルと可変速度のトランスポート・チャネルへのシステム情報ブロックのマッピングを指示するポインタを含むＭＩＢの典型的なフォーマットを示す。ＭＩＢのこのポインタは、移動先セル内のシステム情報を指し示すために、元のセル内で移動端末に送信される制御メッセージに含めることもできる。第１層アウトバンド・シグナリングの場合には、移動先セル内の可変速度のトランスポート・チャネル上のスケジューリング情報を含む、移動先セル内の付随した物理制御チャネルを移動端末は読むものと仮定できる。したがって、上記ポインタは、移動先セル内の付随した物理制御チャネルの設定の情報も含有し得る。本発明のこの実施形態によるシステム・ブロードキャスト情報の構成は、先に概説したように木のような構造である。ＭＩＢは、制御情報の異なる部分部分を含有し、これらの部分部分の各々が各ＳＩＢに関連付けられている。同様に、元のセルを通じて移動端末へ送信される制御メッセージによって、移動セル内の例えばＳＩＢ５などの個別のＳＩＢを指し示す場合には、その制御情報の構成と内容は、移動先セルのＭＩＢ内で用いられるものと同等であり得る。
【０１１５】
移動先セル内の固定速度のトランスポート・チャネルへ送信のためにマッピングされる上記ＳＩＢにかかわる、ＭＩＢ中のまたは制御メッセージ中のポインタ中の制御情報は次のような構成をとり得る。あるＳＩＢに関連した各制御情報（ＳＩＢ＃ｎへのポインタ）は、そのＳＩＢが共通タイミング基準に相対して送信される固定速度のトランスポート・チャネル上のそのＳＩＢの位置を示す。各セルでは共通タイミング基準がＳＦＮによって与えられると、例示的な目的で仮定される。ＳＮＦ番号付けは隣接セル間で異なることもあるため、それに基づいてスケジューリング情報が有効になるＳＦＮの情報を取得するように、制御メッセージ中で移動先セルのＳＮＦが送信され得る。さらに、各ＳＩＢが送信される周期を示すＳＩＢの繰返し周期が、ＭＩＢまたは制御メッセージのポインタ中で指示され得る。
【０１１６】
可変速度のトランスポート・チャネルへマッピングされるシステム情報にかかわるポインタの制御情報は、固定速度のトランスポート・チャネルにマッピングされるシステム情報にかかわる制御情報とは異なる構成をとり得る。例示的な実施形態によると、ＭＩＢのポインタまたは制御メッセージのポインタ中のＳＩＢ１７にかかわる制御情報は、ＳＩＢ１７が送信される可変速度のトランスポート・チャネルの指示を含んでなる。この指示は、図１１では、ＭＩＢから可変速度のトランスポート・チャネルへ指し示す点線矢印によって示される。
【０１１７】
前述したとおり、論理チャネルからトランスポート・チャネルへのマッピングを受信する移動端末に指示するために第１層アウトバンド識別が使用される。この目的のために、マッピングの識別が付随した制御チャネル上で送信される（「ＩＤ」を参照）。この識別は、例えば、受信側で各トランスポート・チャネルがそこへマッピングされるべき論理チャネルのデフォルトのまたは設定された識別子を使用することができる。これらの識別子はＭＩＢ中で送信され得る。使用される識別子は、デフォルト値であってもよいし、またはシステムによって設定されてもよい。
【０１１８】
可変速度のトランスポート・チャネルに付随した制御チャネルは、可変速度のトランスポート・チャネル上のＳＩＢのスケジューリングを示す制御情報を含んでなる。この制御チャネルは、制御メッセージに含まれるポインタによっても指示され得る。上記制御情報は、各ＳＩＢについて、共有チャネルにマッピングされたＳＩＢのそのチャネル上の時間的な位置を少なくとも指示できる。本発明の別の実施形態では、付随した制御チャネル上の制御情報は、スケジューリング情報であり、かつ一括割当て、データ変調及びトランスポート・ブロック・サイズに関する情報を含み得る。
【０１１９】
例示的な目的でのみＵＭＴＳシステムにおけるブロードキャスト・システム情報の送信に説明を戻すと、第１層アウトバンド識別とスケジューリング情報の送信は、可変速度のトランスポート・チャネルに限られ、固定速度のトランスポート・チャネルを介して伝達されるシステム情報ブロックのスケジューリング情報は、固定速度のトランスポート・チャネルのマスター情報ブロック内で、すなわち、第２層トランスポート・ブロック内で送信される。固定速度のトランスポート・チャネルの設定は、例えば、半固定的であることが可能であり、一方、共有ダウンリンク・トランスポート・チャネルの設定は半固定的または動的であること可能である。本発明のこの実施形態における可変速度のトランスポート・チャネルの動的設定の柔軟性は、ブロードキャスト・システム情報の迅速なスケジューリングを効率的にサポート可能なので、無線リソース利用の観点から有利であり得る。
【０１２０】
本発明の例示的な実施形態では、可変速度のトランスポート・チャネルは、ＵＭＴＳシステムの共有ダウンリンク・チャネル（ＳＤＣＨ）であることが可能であり、 一方、固定速度のトランスポート・チャネルは、ブロードキャスト・チャネル（ＢＣＨ）であることが可能であり、ＳＤＣＨに付随した制御チャネルは、共有制御シグナリング・チャネル（ＳＣＳＣＨ）であることが可能である。
【０１２１】
図１３は、システム情報が固定速度のトランスポート・チャネルと可変速度のトランスポート・チャネルにマッピングされ、第２層インバンド識別が使用される場合の本発明の別の例示的な実施形態による、移動先セル特有のシステム情報へのポインタを元のセルを介して送信される制御メッセージに含めることの概念を示す。
【０１２２】
図１３に示した例示的な実施形態では、識別のために付随した（物理）制御チャネルを必要としない、可変速度のトランスポート・チャネルが使用される。図１１と図１２に関連して説明した本発明の実施形態と同様に、図１３に示した実施形態でも、システム情報は、固定速度のトランスポート・チャネルと可変速度のトランスポート・チャネルにマッピングされる。論理チャネルからトランスポート・チャネルへのマッピングを指示する識別子（「ＩＤ」）と共有チャネル（例えば、ＳＤＣＨ）の半固定的な設定情報（タイミング及び送信フォーマット）と付随した物理制御チャネル（例えば、ＳＣＳＣＨ）の設定は、インバンド（帯域内）で送信される。これは、情報の２つの部分が第２層で送信されることを意味する。例えば、識別（「ＩＤ」）は、可変速度のトランスポート・チャネルの第２層のパケットのヘッダ内で提供されることが可能であり、可変速度のトランスポート・チャネルの設定情報は、ＭＩＢ内で提供されることが可能である。同様に、制御メッセージのポインタは、可変速度のチャネル上のＳＩＢを指し示すとき、移動先セルのＭＩＢ中で提供される可変速度のトランスポート・チャネルの設定情報を含み得る。
【０１２３】
識別子ＩＤは、前述したように、デフォルトの識別子であってもよいし、または固定速度のトランスポート・チャネルのＭＩＢを通じて設定されても／割当てられてもよい。図１４は、図１３でシステム情報ブロックのマッピングに使用されたマスター情報ブロックの典型的なフォーマットを示す。より詳しく言えば、図１４は、本発明の一実施形態による図１３に示したように、フレキシブルなブロードキャスト・チャネル上でスケジューリング情報を送信するために第２層インバンド・シグナリングが使用されるとき、固定速度のトランスポート・チャネルと可変速度のトランスポート・チャネルへのシステム情報ブロックのマッピングを指示するポインタを含むＭＩＢの典型的なフォーマットを示す。ＭＩＢのこのポインタはまた、移動先セル内のシステム情報を指し示すために、元のセル内で移動端末に送信される制御メッセージに含めることができる。固定速度のトランスポート・チャネルにマッピングされたＳＩＢにかかわる制御情報の構成は、図１２に示したＭＩＢ中のものと同様である。可変速度のトランスポート・チャネルにマッピングされたＳＩＢのＭＩＢ制御情報は、ＳＩＢがそれぞれそこにマッピングされた可変速度のトランスポート・チャネルの指示をさらに含み得る。同様にまた、制御メッセージのポインタは、移動先セルにおける関連ＳＩＢ（ｓ）のマッピングの指示も含んでなる。
【０１２４】
一つの例示的な実施形態によると、システム情報は、表１に及び背景技術の節で提示されたように類別され得る。さらに、背景技術の節で説明した、ＭＩＢとＳＩＢを使用したブロードキャスト・システム情報の木のような構成も、例示的な目的で仮定される。
【０１２５】
ＬＴＥ ＵＭＴＳシステムとハード・ハンドオーバのケースを例示的な目的で想定すると、 制御メッセージは、元のセルを制御するノードＢ（元のノードＢ）からＵＥへ送信される［Ｅ−ＲＲＣ］ハンドオーバ指示メッセージであり得る。したがって、元のノードＢは、［Ｅ−ＲＲＣ］ハンドオーバ指示メッセージに下記の情報を含めることができる。
-  各スケジューリング情報がそこから有効である先頭の、移動先ノードＢのシステム・フレーム番号（ＳＦＮ）、及び
-  移動先の拡張型ノードＢによって制御された無線セルで有効である、ＳＩＢ５及びＳＩＢ１７（及び選択的にＳＩＢ７）のスケジューリング情報を含むＭＩＢの一部（例えば、前述の「ポインタ」）
【０１２６】
この例で、ＳＩＢ５とＳＩＢ１７の情報は、移動先セルへの無線接続の確立に関連するとみなせることに留意すべきである。
【０１２７】
ＬＴＥ ＵＭＴＳシステムとセル再選択のケースを例示的な目的で想定すると、［Ｅ−ＲＲＣ］ＲＲＣ接続解放メッセージ（制御メッセージの一例）は、下記の情報を含むことができる。
-  スケジューリング情報の各部分がそこから有効である先頭の、候補の移動先セル（複数のセル）を制御する各拡張型ノードＢのＳＦＮ
-  候補の移動先セル・リスト中の各々の拡張型ノードＢで有効である、ＳＩＢ３及びＳＩＢ７（及び選択的にＳＩＢ５）のスケジューリング情報を含むＭＩＢの一部（例えば、前述の「ポインタ」）
【０１２８】
セル再選択手順に関係したこの例では、ＳＩＢ３とＳＩＢ７の情報が移動先セルへのＵＥのアタッチに関連するとみなせる。
【０１２９】
上記の２つの個別制御メッセージ（ここではＲＲＣ層制御メッセージ）の各々にポインタを含めることで、個別ＲＲＣメッセージに関連ＳＩＢ情報を含める場合（この場合、結果的に、個別ＲＲＣメッセージは１キロバイトのサイズを容易に超え得る）に比べて、ハンドオーバまたはセル再選択の前に関連ＳＩＢ情報をＵＥへ通信するためのシグナリング負荷は、メッセージ当り約100バイト減少され得る。
【０１３０】
本発明の別の実施形態は、移動先セル内の可変速度のトランスポート・チャネルにマッピングされた関連のまたは重要なＳＩＢの送信の信頼性を増加することに関係する。図１５は、本発明の別の実施形態による、移動先セル内の固定速度のチャネルと可変速度のチャネルへのシステム情報の典型的なマッピングを示す。可変速度のチャネル上のデータ送信にリンク適応技術（適応変調及び符号化（ＡＭＣ）及び／または電力制御など）を適用することを仮定すると、データ送信の信頼性は、データを受信する移動端末の幾何学的位置性により変わる可能性がある。例えば、移動端末がセル境界の近くに位置している場合、またはセル内を高速で移動する場合、移動端末はチャネル品質の劣化を経験すると考えられ（すなわち、低い幾何学的位置性にある）、その結果、総体的フレーム・エラー率が増加すると思われる。このような状況のシナリオでは、移動端末は関連の（または重要な）システム情報（例えば、ハンドオーバの場合にはＳＩＢ７とＳＩＢ１７など）をうまく復号できずに、可変速度のトランスポート・チャネル上の関連の（または重要な）システム情報の繰返し周期Ｔｒｅｐ後の次の送信を移動端末は待たなければならなくなり、その結果、モビリティ手順の中断時間が増加される可能性が高くなり得る。
【０１３１】
この問題を回避するために、ある時間インスタンス（サブフレームまたはＴＴＩ）に複数のリソース・ブロックで、可変速度のチャネルにマッピングされた関連の（または重要な）ＳＩＢを送信することが予見され得る（例えば、同じＳＩＢをサブフレーム内の２個以上のリソース・ブロックで送信し得る）。例えば、図１５において、ＳＩＢ１７は可変速度のトランスポート・チャネルにマッピングされ、ある時間インスタンスに２個のリソース・ブロックで送信される。同様にまた、可変速度のトランスポート・チャネルの連続するサブフレームに関連システム情報を繰り返すことも予見され得る。これに応じて、移動先セル内の関連システム情報を指し示す、制御メッセージ中のポインタは、関連ＳＩＢが繰り返される／送信される別々のリソース・ブロックを指示できる。
【０１３２】
別の実施形態では、移動先セルへアタッチメント・ポイントを変更するように、または移動先セルへ接続性を変更するようにトリガするために、移動端末へ送信される制御メッセージに、移動先セル特有のシステム情報の一部分（例えば、個別のＳＩＢ）を含めることがさらに予見できる。図１６は、制御メッセージ自体の中に移動先セル特有のシステム情報の一部分を含み、移動先セル特有のシステム情報の他の部分をポインタによって指し示す、本発明の一実施形態による制御メッセージの設定を示す。図１６に示した例では、移動先セルのＳＩＢ５のシステム情報が制御メッセージ内に含まれ、制御メッセージ中のポインタは、（例えば）可変速度のトランスポート・チャネルにマッピングされる、移動先セル内のＳＩＢ７とＳＩＢ１７を指し示す。
【０１３３】
別の例示的な実施形態によれば、移動端末のアタッチメント・ポイントを移動先セルへ変更するようにまたは移動先セルへ接続するように、受信した移動端末に指示する個別制御メッセージ内で関連ＳＩＢを送信するには、元のセル内のリソースが十分ではないことがあり得る。この場合には、関連ＳＩＢをさらに動的ＳＩＢ（その内容が頻繁に変動される）と非動的ＳＩＢ（その内容が頻繁に変動されない）に分類することができる。本発明のこの例示的な実施形態においても、移動先セルの個別の関連ＳＩＢ（すなわち、システム情報の一部分）の制御メッセージ内での送信が予見され得る。この実施形態では、移動先セルの非動的ＳＩＢは、システム情報を失うことなく、制御メッセージ内に含めて送信され得る。移動先セルの動的ＳＩＢは、制御メッセージ中のポインタによって指し示すようにしても、または制御メッセージ内に含まれてもよい。これに応じて、前述したとおり、隣接するセルのリソース制御エンティどうしは、関連ＳＩＢを隣接する無線リソース制御エンティティへシグナリングすることによって、または自セル内の関連ＳＩＢへのポインタを隣接する無線リソース制御エンティティに提供することによって、関連システム情報をやり取りすることになる。移動先セル内の関連システム情報及び／または上記情報の位置とマッピングを認識し、元の無線リソース制御エンティティは、セル再選択を実行するまたは隣接するセル（移動先セル）へのハンドオーバを実行する移動端末に、移動先セル内の関連システム情報へのポインタを提供することも、または関連システム情報（の一部分）を―これが、セル接続解放コマンドまたはハンドオーバ指示に含まれるならば―直接提供することもできる。
【０１３４】
表１に示したＳＩＢの類別を例示的な目的で仮定し、移動端末がハード・ハンドオーバ手順を実行するものと仮定すると、移動先セルの動的ＳＩＢはＳＩＢ７とＳＩＢ１７であり、一方、非動的ＳＩＢはＳＩＢ５である。セル選択（再選択）手順の場合、動的ＳＩＢはＳＩＢ７であり、非動的ＳＩＢはＳＩＢ３とＳＩＢ５であり得る。
【０１３５】
時間的可変性により情報を一般的に分類するために（すなわち、動的または非動的）、その情報の変動の頻度を示す率ｆ１とｆ２（ｆ１＜ｆ２）を考えることができる。例えば、ある情報（ＳＩＢ）について、その変動率ｆがｆ１とｆ＜＝ｆ１の関係にあるならば、この情報（ＳＩＢ）は時間的可変性が低いから、非動的であると分類できる。同じように、情報の変動率ｆがｆ１とｆ＞ｆ１の関係にあるならば、その情報は時間的可変性が高い、すなわち動的であると言える。
【０１３６】
移動端末の大きな一群については、シグナリング負荷をさらに低減することが望ましいと思われる。本発明の別の実施形態は、モビリティ手順にとって重要なＳＩＢ（これらは、モビリティ手順を実行するために端末によって取得されなければならないＳＩＢである）と重要でないＳＩＢ（これらは、モビリティ手順を実行するために端末によって取得されなくてもよいＳＩＢである）を定義することによって、元のセル内のシグナリング負荷をさらに低減することを提案する。あるＳＩＢが移動先セルの無線インタフェース上で接続性を確立することに関連するとみなせる、またはアタッチメント・ポイントを移動先セルへ変更することに関連する情報とみなせる場合もある一方、同じＳＩＢが移動先セルの無線インタフェース上で接続性を確立するために重要ではない、またはアタッチメント・ポイントを移動先セルへ変更することに関連する情報として重要ではない場合もあることに留意すべきである。
【０１３７】
例えば、表１に示したシステム情報の類別を例示的な目的でここでまた仮定し、ハード・ハンドオーバ手順を考えると、重要なＳＩＢは、ＳＩＢ５とＳＩＢ１７、またはより一般的に言えば、共通物理チャネルの設定と接続モードでの共有物理チャネルへの設定に関する情報を含む移動先セルのシステム情報の一部分であり得る。この情報は、移動先セルへの接続を確立するために、すなわち、移動先セル内で再びアクティブ・モードに入り、ユーザ・プレーンのデータ転送を開始するために必要になり得る。しかし、ハード・ハンドオーバには重要ではないと思われる関連ＳＩＢは、移動先セルを制御する移動先のノードＢが、ハンドオーバ応答メッセージにおい元のノードＢへタイミング調整を送信するとすれば（図７を対照する）、アップリンク干渉（すなわち、表１中のＳＩＢ７）である。
【０１３８】
重要なシステム情報またはＳＩＢは、例えば、モビリティ手順を実行するために、移動端末によって取得されなければならないシステム情報の一部分またはＳＩＢとして定義できる。一つの実施形態によれば、 重要なシステム情報またはＳＩＢ（ｓ）を、上述したように、制御メッセージによって指し示すことができる、及び／または制御メッセージに含めることができる。重要なシステム情報／ＳＩＢと対比的に、重要でないシステム情報は、モビリティ手順を実行するために端末によって取得されなくてもよいシステム情報の一部分またはＳＩＢであると言える。
【０１３９】
ハード・ハンドオーバ手順では、重要でないＳＩＢは、移動先のノードＢが、ハンドオーバ応答メッセージにおいてサービング・ノードＢへタイミング調整を送信するとすれば、アップリンク干渉に関するシステム情報（例えば、ＳＩＢ７）であり得る。重要なＳＩＢは、例えば、共通物理チャネルの設定に関するシステム情報（例えば、ＳＩＢ５）と接続モードでの共有物理チャネルの設定に関するシステム情報（例えば、ＳＩＢ１７）であり得る。
【０１４０】
ハード・ハンドオーバの後、ＵＥの送信タイミングを推定し、必要であれば、サイクリック・プレフィックスの分数内にタイミングを調整するために、非同期ランダム・アクセスがノードＢによって使用できる。非特許文献５（http://www.3pgg.orgで得られ、参照により本文書に援用される）に概説されているように、元のセル内で、移動端末は、アップリンク同期符号によりアップリンク・タイミング調整情報Δ１を取得できる。移動先のノードＢも、同じアップリンク同期符号を受信でき、自己のタイミングに整合したタイミング調整情報Δ２を推定できる。移動先のノードＢは、例えば、移動先のノードＢから元のノードＢへのハンドオーバ応答メッセージ中で、Δ２を元のノードＢへフィードバックできる。したがって、ハード・ハンドオーバ手順の完了後の初期非同期ランダム・アクセスでは、ＵＥはＳＩＢ７情報を取得する必要はないため、この情報は「重要な」情報には分類されない。
【０１４１】
ハード・ハンドオーバのケースと同様に、セル選択（再選択）手順でも、重要なＳＩＢと重要でないＳＩＢを定義できる。一つの例では、セル再選択のために重要なＳＩＢはＳＩＢ３とＳＩＢ７であり得る一方、ＳＩＢ５は移動端末側発信のサービスでは重要ではないとみなせる。
【０１４２】
個別メッセージの受信のためのタイミングに応じて、ブロードキャスト・チャネルの固定速度の部分と可変速度の部分での関連ＳＩＢの送信を組み合わせることも可能であることに留意すべきである。
【０１４３】
さらに、本発明の他の実施形態は、移動端末のアタッチメント・ポイントを移動先セルへ変更するように、または移動先セルへ接続するように移動端末に命令するために、移動ノードへ送信された制御メッセージが失われた状況、または移動端末によってそれをうまく復号できない状況を想定する。個別シグナリング・メッセージが失われた場合は、制御メッセージを再送信できる。移動先セル特有のシステム情報に関する制御メッセージ情報の有効性を確実にするために、制御メッセージ中で指示されたＳＩＢ（すなわち関連システム情報）は、移動先セル内で周期的に再送可能とされる。図１７は、上述したシナリオを示す。関連システム情報の一部分（例えば、ハンドオーバの場合にはＳＩＢ１７）が移動先セルのＢＣＣＨのフレキシブルな速度の部分にマッピングされ、周期的に（繰返し周期Ｔｒｅｐ）送信されることが例示的な目的で仮定できる。
【０１４４】
制御メッセージを再送信する必要がある場合、制御メッセージ中で指示されたシステム・フレーム番号がその間に変わった可能性があり、そのために移動先セル内での関連システム情報の取得に問題をきたすことがあり得る。したがって、再送信周期Ｔｒｅｐを移動端末に指示することが予見され得る。シグナリングされた再送信周期に基づいて、移動端末は次に、繰返し周期と制御メッセージの（期限経過）ＳＦＮに基づいた正しいＳＦＮを決定でき、ＢＣＣＨのフレキシブルな部分から関連システム情報をそれが繰り返されるときに読むことができる。移動先セル特有のシステム情報の（個別部分）の繰返し周期は、 元のセル内の無線リソース制御エンティティによって、例えば、測定設定・メッセージ、ハンドオーバ指示メッセージ、またはＲＲＣ接続解放メッセージ中で移動端末にシグナリングされ得る。この例示的な実施形態による本発明の実現は、ＢＣＣＨの可変速度の部分上にスケジュールされたＳＩＢを実際上固定的な形で実現する場合には有利であると思われる。
【０１４５】
別の実施形態では、移動先セル内での更新されたシステム・フレーム番号及び／または関連システム情報についての新しいスケジューリング情報を運ぶ追加のＭＡＣ ＰＤＵを再送信される制御メッセージを運ぶＭＡＣ ＰＤＵ（ｓ）と一緒に送信できる（図１８を対照する）。この場合、移動先セル内のブロードキャスト・チャネルの可変速度の部分上でのＳＩＢ送信の実現は、それに順じて、限定的ではないが、ノードＢ内でのＲＲＣ／ＭＡＣの相互動作（ＲＲＣとＭＡＣ間での新しいポインタを含む追加のプリミティブ）が必要になるというような、より複雑なＭＡＣ実現を必要とすると思われる。
【０１４６】
新しいスケジューリング情報とこの情報の移動先のノードにとっての有効性を示すＳＦＮは、元のノードＢと移動先のノードＢ間のインタフェース（例えば、Ｘ２インタフェース―図２を参照）を介してフレーム・プロトコル／アプリケーション・プロトコル・メッセージ中で移動先のノードＢによって提供されることが仮定できる。ここで、フレーム・プロトコル／アプリケーション・プロトコル・メッセージは、移動先のノードＢ内のＲＲＣが利用できるようにするためにプロトコル変換を受けることもあり得る。移動先のノードＢのＲＲＣ層は、情報を別個のＰＤＵ内に含められるように、新しいスケジューリング情報とＳＦＮをプリミティブの形でＭＡＣ層に提供できる。
【０１４７】
新しいスケジューリング情報とＳＦＮを含むフレーム・プロトコルまたはアプリケーション・プロトコル・メッセージは、元のセル内のＵＥへの制御メッセージの送信失敗を移動先のノードＢに通知する、元のノードＢからのメッセージに応答して送信され得る。前述したとおり、この特異な実現は、移動先セル内の可変速度のトランスポート・チャネル上におけるシステム情報のスケジューリングのよりフレキシブルな実現を可能にでき、移動先のノードＢは、元のセル内のＵＥへの制御メッセージの初期送信の失敗後に送信フォーマットを調整できるというように、例えば、可変速度のトランスポート・チャネル上のリソースの現在の可用性に対処するために有益であり得る。
【０１４８】
セル再選択の場合、ＵＥによって選択される可能性のある候補としていくつもの隣接無線セルがある可能性がある。そのために、可能性のある移動先セルであるすべての隣接セルについてのセル特有のシステム情報へのポインタがそこに含まれるとすれば、接続解放メッセージの全体サイズが大きくなりすぎることがあり得る。本発明の一つの例示的な実施形態では、移動端末のアタッチメント・ポイントを変更するように移動端末に指示する制御メッセージ内のセル再選択の可能性のある移動先セルに関する情報のサイズは、測定報告に基づいたネットワーク中で発生される下記のイベントの一つに応じて減少され得る。
-  新しいセルが所定の報告範囲に入る（すなわち、測定報告がしきい値レベルを上回るチャネル品質を示す）。そのセルを移動端末へ報告するセル・リストに追加する。
-  リスト中のあるセルが報告範囲を出る（すなわち、測定報告がしきい値レベル以下のチャネル品質を示す）。そのセルをセル・リストから削除する。
【０１４９】
図１９に例示的な目的で示したように、移動端末は、移動方向に沿って移動でき、その移動により隣接するセルＡ〜Ｃのチャネル品質の変動を経験し、報告する。移動端末を現在サーブしているノードＢによって保持された初期の隣接セル・リストは、最初はセルＡ、セルＢ及びセルＣを含むが、最終的にセルＣの方向へ移動したとき、隣接セル・リストはセルＢとセルＣだけを含むようになる。しかるべく、移動端末の位置に応じて、接続解放メッセージを移動端末へ送信する決定をするときに、現在サーブしているノードＢ（元のノードＢ）からの接続解放メッセージは、セルＡ〜ＣそれぞれにおけるまたはＢとＣそれぞれにおける関連システム情報へのポインタを含むことができる。
【０１５０】
さらに、すでに簡単に前述したように、ここで様々な例示的な実施形態において概説した本発明の概念は、例えば、図１または図２に例示したアーキテクチャを有し得る、背景技術の節で説明したような移動通信システムにおいて有利に利用可能であることに留意すべきである。この例示したネットワーク・アーキテクチャにおいて、固定速度のトランスポート・チャネル（例えば、ブロードキャスト・トランスポート・チャネル）及び／または可変速度のトランスポート・チャネル（例えば、共有トランスポート・チャネル）は、移動局（ＵＥ）と基地局（ノードＢ）間の無線インタフェース上のアップリンク及び／またはダウンリンクでの通信に使用可能である。上記移動通信システムにおける通信には、例えば、ＯＦＤＭ方式、ＭＣ−ＣＤＭＡ方式、またはパルス整形を用いたＯＦＤＭ方式（ＯＦＤＭ／ＯＱＡＭ）が使用できる。いくつかの実施形態では、スケジューラが、リソース・ブロック単位で（すなわち、時間領域ではサブフレーム単位）または送信時間間隔（ＴＴＩ）単位でリソースをスケジュール可能であり、後者の場合、ＴＴＩは時間領域において１個以上のサブフレームからなると仮定できる。さらに別の実施形態では、適応変調及び符号化（ＡＭＣ）、送信電力制御及び／またはＨＡＲＱなどのリンク適応技術が、共有トランスポート・チャネル上の通信に適用され得る。
【０１５１】
本発明の一つの実施形態では、共有トランスポート・チャネルは、10 MHzの帯域幅をもち、15 kHのサブキャリア間隔で６００個のサブキャリアからなる。６００個のサブキャリアは２４個のサブバンド（それぞれ２５個のサブキャリアを含む）にグループ分けでき、各サブバンドは375 kHzの帯域幅を占有する。サブフレームは0.5 msの長さをもつと仮定すると、リソース・ブロック（ＲＢ）は、375 kHzと0.5 msにわたる大きさになる。
【０１５２】
代替的に、１サブバンドが１２個のサブキャリアから構成されてもよく、このようなサブバンド５０個が利用可能な６００個のサブキャリアを構成する。２個のサブフレームに相当する1.0 msの送信時間間隔（ＴＴＩ）を用いると、この例では、リソース・ブロック（ＲＢ）は300 kHzと1.0 msにわたる大きさになる。
【０１５３】
本発明の別の実施形態は、ハードウェア及びソフトウェアを使用した、上述した様々な実施形態の実現に関係する。本発明の多様な実施形態は、コンピューティング・デバイス（プロセッサ）を使用して実現または実施され得ることが認識される。コンピューティング・デバイスまたはプロセッサは、例えば、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）またはその他のプログラム可能な論理デバイス等であり得る。本発明の多様な実施形態は、上記のデバイスの組合せによって実施または実現されてもよい。
【０１５４】
さらに、本発明の多様な実施形態は、プロセッサで実行されるまたは直接ハードウェアに組み込むソフトウェア・モジュールを用いても実現可能である。また、ソフトウェア・モジュールとハードウェア実装の組合せも可能である。ソフトウェア・モジュールは、コンピュータで読取り可能などんな種類の記憶媒体3/4例えば、ＲＡＭ、ＥＰＲＯＭ、ＥＥＰＲＯＭ、フラッシュ・メモリ、レジスタ、ハード・ディスク、ＣＤ−ＲＯＭ、ＤＶＤ等3/4に記憶されてもよい。
【０１５５】
以上の文面において、本発明の様々な実施形態とその変形を説明した。具体的な実施形態の形で示した本発明へのいろいろな変形及び／または修正が、広義に説明された本発明の精神または範囲を逸脱しない限りにおいてなされ得ることは当業者によって理解されるであろう。
【０１５６】
上記の実施形態の大部分は３ＧＰＰベースの通信システムに関連して概説されており、以上の節で使用された用語は３ＧＰＰの用語に主に関係することにさらに留意すべきである。しかし、３ＧＰＰベースのアーキテクチャにかかわる多様な実施形態の用語と説明は、本発明の原理と概念を上記のシステムに限定するように意図されてはいない。
【０１５７】
また、前述の背景技術の節で述べた詳細な説明は、本文書に説明した主に３ＧＰＰの特徴を生かした例示的な実施形態をよりよく理解してもらうためのものであり、移動通信ネットワークにおけるプロセス及び機能のここで述べた特定の実現に本発明を限定するものと理解すべきではない。しかしながら、本文書で提案された改良は、背景技術の節で説明したアーキテクチャに容易に適用可能である。さらに、本発明の概念は、３ＧＰＰによって現在検討中のＬＴＥ ＲＡＮに容易に使用することもできる。
【図面の簡単な説明】
【０１５８】
【図１】ＵＭＴＳ Ｒ９９／４／５によるＵＭＴＳのハイレベル・アーキテクチャを示す。
【図２】３ＧＰＰ ＬＴＥの研究プロジェクトによるＵＴＲＡＮの典型的なアーキテクチャを示す。
【図３】ＵＴＲＡＮの無線インタフェース・プロトコル・アーキテクチャの概要を示す。
【図４】マスター情報ブロック（ＭＩＢ）の構成を示す。
【図５】等しいサイズの３個のサブバンドに分割された15 MHzのシステム帯域幅サイズを想定し、各端末固有の帯域幅能力が5、10及び15 MHzであると仮定した場合の典型的な配置のシナリオを示す。
【図６】固定速度のブロードキャスト・チャネルがシステムの中心周波数付近に提供される場合における、20MHzのシステム帯域幅をもつ通信システムでの10 MHzのＵＥのキャンピングを示す。
【図７】ＵＭＴＳによる典型的なハード・ハンドオーバ手順を示す。
【図８】ＵＭＴＳによる典型的なセル再選択手順を示す。
【図９】図４のＭＩＢ構成を使用するブロードキャスト・トランスポート・チャネル上のＭＩＢとＳＩＢの典型的な構成を示す。
【図１０】システム情報が固定速度のトランスポート・チャネルと可変速度のトランスポート・チャネルにマッピングされる場合の本発明の例示的な実施形態による、移動先セル特有のシステム情報へのポインタを元のセルを介して送信される制御メッセージに含めることの概念を示す。
【図１１】システム情報がマッピングされる場合の本発明の別の例示的な実施形態による、移動先セル特有のシステム情報へのポインタを元のセルを介して送信される制御メッセージに含めることの概念を示す。
【図１２】本発明の一実施形態による図１１に示した第１層アウトバンド・シグナリング時の、固定速度のトランスポート・チャネルと可変速度のトランスポート・チャネルへのシステム情報ブロックのマッピングを指示するポインタを含むＭＩＢの典型的なフォーマットを示す。
【図１３】システム情報が固定速度のトランスポート・チャネルと可変速度のトランスポート・チャネルにマッピングされ、第２層インバンド・シグナリングが使用される場合の本発明の別の例示的な実施形態による、移動先セル特有のシステム情報へのポインタを元のセルを介して送信される制御メッセージに含めることの概念を示す。
【図１４】本発明の一実施形態による図１３に示した第２層インバンド・シグナリング時の、固定速度のトランスポート・チャネルと可変速度のトランスポート・チャネルへのシステム情報ブロックのマッピングを指示するポインタを含むＭＩＢの典型的なフォーマットを示す。
【図１５】システム情報の一部分が異なるリソース・ブロックで同時に送信される場合の本発明の別の例示的な実施形態による、移動先セル特有のシステム情報へのポインタを元のセルを介して送信される制御メッセージに含めることの概念を示す。
【図１６】システム情報の一部分が制御メッセージに含まれる場合の本発明の別の例示的な実施形態による、移動先セル特有のシステム情報へのポインタを元のセルを介して送信される制御メッセージに含めることの概念を示す。
【図１７】移動先セル特有のシステム情報の繰返し周期が移動端末に指示される場合の本発明の別の例示的な実施形態による、移動先セル特有のシステム情報へのポインタを元のセルを介して送信される制御メッセージとその再送に含めることの概念を示す。
【図１８】本発明の別に実施形態による、元のセルを介して送信される制御メッセージの再送により更新されたＳＦＮとスケジューリング情報を送信するために追加のＭＡＣ ＰＤＵを使用することの概念を示す。
【図１９】隣接セル・リストが複数のセルを含み、各セルについてのセル特有のシステム情報への各ポインタがモビリティ手順を実行するときに移動端末への制御メッセージに含まれることになる状況での、例示的な実施形態による隣接セル・リストの更新を示す。
【図１】
2010506445.tif 000004
【図２】
2010506445.tif 000005
【図３】
2010506445.tif 000006
【図４】
2010506445.tif 000007
【図５】
2010506445.tif 000008
【図６】
2010506445.tif 000009
【図７】
2010506445.tif 000010
【図８】
2010506445.tif 000011
【図９】
2010506445.tif 000012
【図１０】
2010506445.tif 000013
【図１１】
2010506445.tif 000014
【図１２】
2010506445.tif 000015
【図１３】
2010506445.tif 000016
【図１４】
2010506445.tif 000017
【図１５】
2010506445.tif 000018
【図１６】
2010506445.tif 000019
【図１７】
2010506445.tif 000020
【図１８】
2010506445.tif 000021
【図１９】
2010506445.tif 000022
【国際調査報告】
2010506445.tif 000023
2010506445.tif 000024
2010506445.tif 000025
2010506445.tif 000026